(57)【特許請求の範囲】
【請求項１】
同期の方法であって、
ユーザ機器が同期情報を取得する段階であって、前記同期情報は、同期元の優先度情報を含む同期元優先度情報を含む、段階と、
前記ユーザ機器が、少なくとも１つの同期元によって送信された第１同期信号を受信する段階と、
前記ユーザ機器が、前記同期情報および前記第１同期信号に従って、同期参照元を決定する段階であって、前記同期参照元は、前記ユーザ機器が同期信号を外へ送信するときに参照として使用する同期元であり、前記同期元のタイプは、少なくともユーザ機器を含む、段階と
を備え、
前記ユーザ機器が、前記同期情報および前記第１同期信号に従って同期参照元を決定する前記段階は、
前記ユーザ機器が、前記優先度情報および前記第１同期信号に従って、前記少なくとも１つの同期元から、同期元の優先度が最も高い同期元を前記同期参照元として選択する段階を有し、
前記同期情報は、同期元指示情報をさらに含み、
前記同期元指示情報は、第１同期元を示すために使用され、前記ユーザ機器が、前記同期情報および前記第１同期信号に従って同期参照元を決定する前記段階は、
前記ユーザ機器が、前記第１同期信号に従って、前記少なくとも１つの同期元に前記第１同期元が含まれると決定する段階と、
前記第１同期元が予め定義された条件を満たす場合、前記ユーザ機器が、前記第１同期元を前記同期参照元として選択し、または、前記第１同期元の信号が予め定義された条件を満たさない場合、前記ユーザ機器が、前記優先度情報に従って、前記第１同期元を除く前記少なくとも１つの同期元から同期元の優先度が最も高い第２同期元を前記同期参照元として選択する段階と
をさらに有する、方法。
【請求項２】
前記同期情報は、同期元の選択パラメータ情報をさらに含み、
前記ユーザ機器が、前記同期情報および前記第１同期信号に従って同期参照元を決定する前記段階は、前記同期情報が同期元の選択パラメータ情報を含む場合に、前記ユーザ機器が、前記第１同期信号に従って、前記少なくとも１つの同期元から前記選択パラメータ情報を満たす同期元を前記同期参照元として選択する段階をさらに有する、請求項１に記載の方法。
【請求項３】
ユーザ機器が同期情報を取得する前記段階は、前記ユーザ機器が、基地局によって送信された前記同期情報を受信する段階を有する、請求項１または２に記載の方法。
【請求項４】
前記ユーザ機器が、前記同期参照元のタイミング基準と、別のリンクにおける同期参照元のタイミング基準との間のタイミングオフセットを決定する段階と、
前記ユーザ機器が、前記同期参照元の前記タイミング基準および前記タイミングオフセットに従って、通信を実行する段階と
をさらに備える、請求項１から３のいずれか一項に記載の方法。
【請求項５】
前記ユーザ機器が、前記同期参照元のタイミング基準と、別のリンクにおける同期参照元のタイミング基準との間のタイミングオフセットを決定する前記段階は、
前記ユーザ機器が、基地局によって送信されたタイミングオフセット指示情報を受信する段階であって、前記タイミングオフセット指示情報は、前記タイミングオフセットを示すために使用される、段階と、
前記ユーザ機器が、前記タイミングオフセット指示情報に従って、前記タイミングオフセットを決定する段階と
を有する、請求項４に記載の方法。
【請求項６】
同期の方法であって、
ユーザ機器が、同期情報と、少なくとも１つの同期元によって送信され前記ユーザ機器が受信した同期信号とに従って、前記少なくとも１つの同期元から１つの同期元を同期参照元として選択するシステムにおける、同期の方法であって、
基地局が前記同期情報を決定する段階であって、前記同期情報は、同期元の優先度情報を含む同期元優先度情報を含む、段階と、
前記基地局が、前記同期情報をユーザ機器へ送信する段階と
を備え、
前記同期参照元は、前記ユーザ機器が同期信号を外へ送信するときに参照として使用する同期元であり、前記同期元のタイプは、少なくともユーザ機器を含み、
前記方法は、
前記基地局が制御情報を前記ユーザ機器へ送信する段階であって、前記制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または同期元のホップカウントの指示情報のうちの少なくとも１つの情報を含む、段階をさらに備える、方法。
【請求項７】
前記基地局が、タイミングオフセット指示情報を前記ユーザ機器へ送信する段階であって、前記タイミングオフセット指示情報は、前記ユーザ機器の同期参照元のタイミング基準と、別のリンクにおける同期参照元のタイミング基準との間のタイミングオフセットを示すために使用される、段階をさらに備える、請求項６に記載の方法。
【請求項８】
同期の方法であって、
ユーザ機器が同期参照元を決定する段階と、
前記ユーザ機器が、前記同期参照元に従って、同期信号を送信する段階であって、前記同期信号は、第１同期信号および／または第２同期信号を含み、前記第１同期信号のシーケンスおよび／または前記第２同期信号のシーケンスは、前記同期参照元のタイプを示すために使用される、段階と
を備え、
ユーザ機器が同期参照元を決定する前記段階は、
前記ユーザ機器が、同期情報と、少なくとも１つの同期元によって送信され前記ユーザ機器が受信した同期信号とに従って、前記少なくとも１つの同期元から１つの同期元を前記同期参照元として選択する段階であって、前記同期元のタイプは、少なくともユーザ機器を含み、前記同期情報は、同期元の優先度情報を含む同期元優先度情報を含み、前記同期参照元は、前記ユーザ機器が同期信号を外へ送信するときに参照として使用する同期元である、段階を備え、
前記第１同期信号の少なくとも１つのシーケンスは、前記同期参照元の前記タイプを示すために使用され、または、
前記第１同期信号は、第１シンボルおよび第２シンボルを占有し、前記第１シンボルによって使用されるシーケンスもしくは前記第２シンボルによって使用されるシーケンスの少なくとも１つの組み合わせは、前記同期参照元の前記タイプを示すために使用され、または、
前記第２同期信号のシーケンスセットは、少なくとも２つのシーケンスサブセットを含み、前記少なくとも２つのシーケンスサブセットのうちの少なくとも１つは、前記同期参照元の前記タイプを示すために使用され、または、
前記第２同期信号は、第３シンボルおよび第４シンボルを含み、前記第３シンボルによって使用されるシーケンスもしくは前記第４シンボルによって使用されるシーケンスの少なくとも１つの組み合わせは、前記同期参照元の前記タイプを示すために使用され、または、
前記第１同期信号は、第１シンボルおよび第２シンボルを占有し、前記第２同期信号は、第３シンボルおよび第４シンボルを占有し、前記第１シンボルによって使用されるシーケンス、前記第２シンボルによって使用されるシーケンス、前記第３シンボルによって使用されるシーケンス、もしくは、前記第４シンボルによって使用されるシーケンスの少なくとも１つの組み合わせが、前記同期参照元の前記タイプを示すために使用される、方法。
【請求項９】
同期の方法であって、
ユーザ機器が同期参照元を決定する段階と、
前記ユーザ機器が、前記同期参照元に従って、同期信号を送信する段階であって、前記同期信号は、第１同期信号および／または第２同期信号を含み、前記第１同期信号のシーケンスおよび／または前記第２同期信号のシーケンスは、前記同期参照元のタイプを示すために使用される、段階と
を備え、
ユーザ機器が同期参照元を決定する前記段階は、
前記ユーザ機器が、同期情報と、少なくとも１つの同期元によって送信され前記ユーザ機器が受信した同期信号とに従って、前記少なくとも１つの同期元から１つの同期元を前記同期参照元として選択する段階であって、前記同期元のタイプは、少なくともユーザ機器を含み、前記同期情報は、同期元の優先度情報を含む同期元優先度情報を含み、前記同期参照元は、前記ユーザ機器が同期信号を外へ送信するときに参照として使用する同期元である、段階を備え、
前記方法は、
前記ユーザ機器が制御情報を送信する段階であって、前記制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む、段階をさらに備える、方法。
【請求項１０】
ユーザ機器であって、
同期情報を取得する取得ユニットであって、前記同期情報は、同期元の優先度情報を含む同期元優先度情報を含む、取得ユニットと、
少なくとも１つの同期元によって送信された第１同期信号を受信するトランシーバユニットと、
前記取得ユニットによって取得された前記同期情報、および、前記トランシーバユニットによって受信された前記第１同期信号に従って同期参照元を決定する決定ユニットであって、前記同期参照元は、前記ユーザ機器が同期信号を外へ送信するときに参照として使用する同期元であり、前記同期元のタイプは、少なくともユーザ機器を含む、決定ユニットと
を備え、
前記決定ユニットは、前記優先度情報および前記第１同期信号に従って、前記少なくとも１つの同期元から、同期元の優先度が最も高い同期元を前記同期参照元として選択し、
前記同期情報は、同期元指示情報をさらに含み、前記同期元指示情報は、第１同期元を示すために使用され、前記決定ユニットは、
前記第１同期信号に従って、前記少なくとも１つの同期元に前記第１同期元が含まれると決定し、および、
前記第１同期元が予め定義された条件を満たす場合、前記第１同期元を前記同期参照元として選択し、または、前記第１同期元の信号が予め定義された条件を満たさない場合、前記優先度情報に従って、前記第１同期元を除く前記少なくとも１つの同期元から、同期元の優先度が最も高い第２同期元を前記同期参照元として選択する、
ユーザ機器。
【請求項１１】
前記同期情報は、同期元の選択パラメータ情報をさらに含み、
前記決定ユニットは、前記同期情報が同期元の選択パラメータ情報を含む場合に、前記第１同期信号に従って、前記少なくとも１つの同期元から、前記選択パラメータ情報を満たす同期元を前記同期参照元として選択する、請求項１０に記載のユーザ機器。
【請求項１２】
前記取得ユニットは、基地局によって送信された前記同期情報を受信する、請求項１０または１１に記載のユーザ機器。
【請求項１３】
前記決定ユニットはさらに、前記同期参照元のタイミング基準と、別のリンクにおける同期参照元のタイミング基準との間のタイミングオフセットを決定し、
前記トランシーバユニットはさらに、前記同期参照元の前記タイミング基準、および、前記決定ユニットによって決定された前記タイミングオフセットに従って、通信を実行する、
請求項１０から１２のいずれか一項に記載のユーザ機器。
【請求項１４】
前記トランシーバユニットはさらに、基地局によって送信されたタイミングオフセット指示情報を受信し、前記タイミングオフセット指示情報は、前記タイミングオフセットを示すために使用され、
前記決定ユニットは、前記トランシーバユニットによって受信された前記タイミングオフセット指示情報に従って、前記タイミングオフセットを決定する、
請求項１３に記載のユーザ機器。
【請求項１５】
ユーザ機器が、同期情報と、少なくとも１つの同期元によって送信され前記ユーザ機器が受信した同期信号とに従って、前記少なくとも１つの同期元から１つの同期元を同期参照元として選択するシステムにおける、基地局であって、
前記同期情報を決定する決定ユニットであって、前記同期情報は、同期元の優先度情報を含む同期元優先度情報を含む、決定ユニットと、
前記同期情報をユーザ機器へ送信する送信ユニットと
を備え、
前記同期参照元は、前記ユーザ機器が同期信号を外へ送信するときに参照として使用する同期元であり、前記同期元のタイプは、少なくともユーザ機器を含み、
前記送信ユニットがさらに、制御情報を前記ユーザ機器へ送信し、前記制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む、
基地局。
【請求項１６】
前記送信ユニットはさらに、タイミングオフセット指示情報を前記ユーザ機器へ送信し、前記タイミングオフセット指示情報は、前記ユーザ機器の同期参照元のタイミング基準と、別のリンクにおける同期参照元のタイミング基準との間のタイミングオフセットを示すために使用される、請求項１５に記載の基地局。
【請求項１７】
ユーザ機器であって、
同期情報と、少なくとも１つの同期元によって送信され前記ユーザ機器が受信した同期信号とに従って、前記少なくとも１つの同期元から１つの同期元を同期参照元として決定する決定ユニットであって、前記同期元のタイプは、少なくともユーザ機器を含み、前記同期情報は、同期元の優先度情報を含む同期元優先度情報を含み、前記同期参照元は、前記ユーザ機器が同期信号を外へ送信するときに参照として使用する同期元である、決定ユニットと、
前記同期参照元に従って同期信号を送信する送信ユニットであって、前記同期信号は、第１同期信号および／または第２同期信号を含み、前記第１同期信号のシーケンスおよび／または前記第２同期信号のシーケンスは、前記同期参照元のタイプを示すために使用される、送信ユニットと
を備え、
前記第１同期信号の少なくとも１つのシーケンスは、前記同期参照元の前記タイプを示すために使用され、または、
前記第１同期信号は、第１シンボルおよび第２シンボルを占有し、前記第１シンボルによって使用されるシーケンスもしくは前記第２シンボルによって使用されるシーケンスの少なくとも１つの組み合わせは、前記同期参照元の前記タイプを示すために使用され、または、
前記第２同期信号のシーケンスセットは、少なくとも２つのシーケンスサブセットを含み、前記少なくとも２つのシーケンスサブセットのうちの少なくとも１つは、前記同期参照元の前記タイプを示すために使用され、または、
前記第２同期信号は、第３シンボルおよび第４シンボルを含み、前記第３シンボルによって使用されるシーケンスもしくは前記第４シンボルによって使用されるシーケンスの少なくとも１つの組み合わせは、前記同期参照元の前記タイプを示すために使用され、または、
前記第１同期信号は、第１シンボルおよび第２シンボルを占有し、前記第２同期信号は、第３シンボルおよび第４シンボルを占有し、前記第１シンボルによって使用されるシーケンス、前記第２シンボルによって使用されるシーケンス、前記第３シンボルによって使用されるシーケンス、もしくは、前記第４シンボルによって使用されるシーケンスの少なくとも１つの組み合わせが、前記同期参照元の前記タイプを示すために使用される、
ユーザ機器。
【請求項１８】
ユーザ機器であって、
同期情報と、少なくとも１つの同期元によって送信され前記ユーザ機器が受信した同期信号とに従って、前記少なくとも１つの同期元から１つの同期元を同期参照元として決定する決定ユニットであって、前記同期元のタイプは、少なくともユーザ機器を含み、前記同期情報は、同期元の優先度情報を含む同期元優先度情報を含み、前記同期参照元は、前記ユーザ機器が同期信号を外へ送信するときに参照として使用する同期元である、決定ユニットと、
前記同期参照元に従って同期信号を送信する送信ユニットであって、前記同期信号は、第１同期信号および／または第２同期信号を含み、前記第１同期信号のシーケンスおよび／または前記第２同期信号のシーケンスは、前記同期参照元のタイプを示すために使用される、送信ユニットと
を備え、
前記送信ユニットはさらに、制御情報を送信し、前記制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む、ユーザ機器。
【請求項１９】
コンピュータによって実行されるとき、前記コンピュータに、請求項１から９のいずれか一項に記載の方法の段階を実行させるプログラム。
【請求項２０】
請求項１９に記載のプログラムを含むコンピュータ可読記憶媒体。
【発明の詳細な説明】
【技術分野】
【０００１】
本発明は、通信分野に関連し、特に、同期方法、ユーザ機器および基地局に関連する。
【背景技術】
【０００２】
近年、インテリジェント技術の発達に伴い、インテリジェント交通および無人運転などの技術が、学界、業界および政府から、より大きな注目を集めている。業界の発展を促すには、車車間通信の技術および規格が、上記の問題を解決するための鍵となる。車車間通信の基本的な問題は、様々な複雑な環境において、車両間の効率的な通信をどのように実装するかである。車車間通信の効率を改善するために、もっとも基本的な要件は、車車間通信における相互干渉を低減でき、および、車車間通信のスペクトル効率を改善できるように、車両間で正確な同期が実装されることである。図１に示されるように、レーンにおける４台の車両を、同一の同期元、または、同一タイプの一定精度の同期元と同期できる場合、レーンにおける車両間の通信の効率を改善できる。従って、どのように同期元を決定し、同期を実装するかは、解決されるべき問題である。
【発明の概要】
【０００３】
本発明の実施形態は、同期情報に従って同期参照元を決定するための、同期方法、ユーザ機器および基地局を提供する。これにより、同期を実装することができる。
【０００４】
第１態様によれば、同期の方法であって、ユーザ機器が同期情報を取得する段階であって、同期情報は、同期元の選択パラメータ情報、同期元指示情報、または同期元の優先度情報のうちの少なくとも１つの情報を含む、段階と、ユーザ機器が、少なくとも１つの同期元によって送信された第１同期信号を受信する段階と、ユーザ機器が、同期情報および第１同期信号に従って、同期参照元を決定する段階とを備える方法が提供される。
【０００５】
第１態様に関連して、第１の可能な実装において、ユーザ機器が、同期情報および第１同期信号に従って同期参照元を決定する段階は、ユーザ機器が、第１同期信号に従って、少なくとも１つの同期元から選択パラメータを満たす同期元を同期参照元として選択する段階を有する。
【０００６】
第１態様に関連して、第２の可能な実装において、同期元指示情報は、第１同期元を示すために使用され、ユーザ機器が、同期情報および第１同期信号に従って、同期参照元を決定する段階は、ユーザ機器が、第１同期信号に従って、第１同期元を同期参照元として選択する段階を有する。
【０００７】
第１態様に関連して、第３の可能な実装において、ユーザ機器が、同期情報および第１同期信号に従って同期参照元を決定する段階は、ユーザ機器が、優先度情報および第１同期信号に従って、少なくとも１つの同期元から最高優先度を有する同期元を同期参照元として選択する段階を有する。
【０００８】
第１態様に関連して、第４の可能な実装において、同期元指示情報は、第１同期元を示すために使用され、ユーザ機器が、同期情報および第１同期信号に従って同期参照元を決定する段階は、ユーザ機器が、第１同期信号に従って、少なくとも１つの同期元が第１同期元を含むと決定する段階と、第１同期元が予め定義された条件を満たす場合、ユーザ機器が、第１同期元を同期参照元として選択し、または、第１同期元の信号が予め定義された条件を満たさない場合、ユーザ機器が、優先度情報に従って、第１同期元を除く少なくとも１つの同期元から最高優先度を有する第２同期元を同期参照元として選択する段階とを有する。
【０００９】
第１態様、または第１から第４の可能な実装のいずれか１つに関連して、第５の可能な実装において、第１同期信号は、第２同期信号および／または第３同期信号を含み、ユーザ機器が、同期情報に従って同期参照元を決定する段階は、ユーザ機器が、第２同期信号のシーケンスおよび／または第３同期信号のシーケンスに従って、少なくとも１つの同期元のタイプを決定する段階と、ユーザ機器が、同期情報および少なくとも１つの同期元のタイプに従って、同期参照元を選択する段階とを有する。
【００１０】
第５の可能な実装に関連して、第６の可能な実装において、第２同期信号の第１シーケンス、第２シーケンスおよび第３シーケンスは、異なる同期元タイプを示すために使用され、第１シーケンス、第２シーケンスおよび第３シーケンスは互いに異なり、または、第２同期信号は、第１シンボルおよび第２シンボルを占有し、第１シンボルによって使用されるシーケンスもしくは第２シンボルによって使用されるシーケンスの複数の組み合わせは、異なる同期元タイプを示すために使用され、または、第３同期信号のシーケンスセットは、複数のシーケンスサブセットを含み、複数のシーケンスサブセットは、異なる同期元タイプを示すために使用され、または、第３同期信号は、第３シンボルおよび第４シンボルを占有し、第３シンボルによって使用されるシーケンスもしくは第４シンボルによって使用されるシーケンスの複数の組み合わせは、異なる同期元タイプを示すために使用され、または、第２同期信号は、第１シンボルおよび第２シンボルを占有し、第３同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの複数の組み合わせは、異なる同期元タイプを示すために使用される。
【００１１】
第１態様、または第１から第４の可能な実装のいずれか１つに関連して、第７の可能な実装において、方法はさらに、ユーザ機器が、少なくとも１つの同期元によって送信された第１制御情報を受信する段階を備え、ユーザ機器が、同期情報および第１同期信号に従って同期参照元を決定する段階は、ユーザ機器が、第１制御情報に従って、少なくとも１つの同期元のタイプを決定する段階と、ユーザ機器が、同期情報、第１同期信号、および少なくとも１つの同期元のタイプに従って、同期参照元を決定する段階とを有する。
【００１２】
第１態様、または第１から第６の可能な実装のいずれか１つに関連して、第８の可能な実装において、方法はさらに、ユーザ機器が、少なくとも１つの同期元によって送信された第１制御情報を受信する段階であって、第１制御情報は、同期元タイプの補助指示情報、同期信号送信サイクルの指示情報、同期信号が送信されたかどうかを示す指示情報、同期信号が有効かどうかを示す指示情報、同期信号が送信された時間‐周波数位置の指示情報、または、同期元のホップカウントの指示情報のうちの少なくとも１つの情報を含む、段階を備える。
【００１３】
第７の可能な実装に関連して、第９の可能な実装において、第１同期信号は、第２同期信号および／または第３同期信号を含み、ユーザ機器が、第１制御情報に従って、少なくとも１つの同期元のタイプを決定する段階は、ユーザ機器が、第２同期信号のシーケンスおよび／または第３同期信号のシーケンスと、第１制御情報とに従って、少なくとも１つの同期元のタイプを決定する段階を有する。
【００１４】
第１態様、または上記の可能な実装のいずれか１つに関連して、第１０の可能な実装において、受信端が同期情報を取得する段階は、ユーザ機器が基地局によって送信された同期情報を受信する段階を含む。
【００１５】
第１０の可能な実装に関連して、第１１の可能な実装において、ユーザ機器が同期情報を受信する前に、方法はさらに、ユーザ機器が、少なくとも１つの同期元についての情報を基地局へ送信することにより、基地局が、少なくとも１つの同期元についての情報に従って、同期情報を決定する段階を備える。
【００１６】
第１態様または上記の可能な実装のいずれか１つに関連して、第１２の可能な実装において、方法はさらに、ユーザ機器が、同期参照元に従って、第４同期信号および／または第２制御情報を送信する段階であって、第４同期信号および／または第２制御情報は、同期参照元のタイプを示すために使用される、段階を備える。
【００１７】
第１態様または上記の可能な実装のいずれか１つに関連して、第１３の可能な実装において、方法はさらに、ユーザ機器が、同期参照元のタイミング基準と、別のリンクにおける同期参照元のタイミング基準との間のタイミングオフセットを決定する段階と、ユーザ機器が、同期参照元のタイミング基準およびタイミングオフセットに従って、通信を実行する段階とを備える。
【００１８】
第１３の可能な実装に関連して、第１４の可能な実装において、ユーザ機器が、同期参照元のタイミング基準と、別のリンクにおける同期参照元のタイミング基準との間のタイミングオフセットを決定する段階は、ユーザ機器が、基地局によって送信されたタイミングオフセット指示情報を受信する段階であって、タイミングオフセット指示は、タイミングオフセットを示すために使用される、段階と、ユーザ機器が、タイミングオフセット指示情報に従って、タイミングオフセットを決定する段階とを有する。
【００１９】
第１３の可能な実装に関連して、第１５の可能な実装において、ユーザ機器が、同期参照元のタイミング基準と、別のリンクにおける同期参照元のタイミング基準との間のタイミングオフセットを決定する段階は、ユーザ機器が、別のリンクにおける同期参照元のタイミング基準を取得する段階と、ユーザ機器が、同期参照元のタイミング基準、および、別のリンクにおける同期参照元のタイミング基準に従って、タイミングオフセットを決定する段階とを有する。
【００２０】
第２態様によれば、同期の方法であって、基地局が同期情報を決定する段階であって、同期情報は、同期元の選択パラメータ情報、同期元指示情報、または同期元の優先度情報のうちの少なくとも１つの情報を含む、段階と、基地局が、同期情報をユーザ機器へ送信する段階とを備える方法が提供される。
【００２１】
第２態様に関連して、第２態様の第１の可能な実装において、方法はさらに、基地局が制御情報をユーザ機器へ送信する段階であって、制御情報は同期参照元のタイプおよび／または識別子を示すために使用される、段階を備える。
【００２２】
第２態様に関連して、第２態様の第２の可能な実装において、方法はさらに、基地局が制御情報をユーザ機器へ送信する段階であって、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または同期元のホップカウントの指示情報のうちの少なくとも１つの情報を含む、段階を備える。
【００２３】
第２態様、または第２態様の第１もしくは第２の可能な実装のいずれか１つに関連して、第２態様の第３の可能な実装において、基地局が同期情報を決定する段階は、基地局が、少なくとも１つの同期元についての情報を受信する段階であって、情報はユーザ機器によって送信される、段階と、基地局が、少なくとも１つの同期元についての情報に従って同期情報を決定する段階とを有する。
【００２４】
第２態様、または第２態様の上記の可能な実装のいずれか１つに関連して、第２態様の第４の可能な実装において、方法はさらに、基地局が、タイミングオフセット指示情報をユーザ機器へ送信する段階であって、タイミングオフセット指示情報は、ユーザ機器の同期参照元のタイミング基準と、別のリンクにおける同期参照元のタイミング基準との間のタイミングオフセットを示すために使用される、段階を備える。
【００２５】
第３態様によれば、同期の方法であって、ユーザ機器が同期参照元を決定する段階であって、同期参照元のタイプは、全球測位衛星システム、基地局またはユーザ機器のいずれか１つである、段階と、ユーザ機器が、同期参照元に従って、同期信号を送信する段階であって、同期信号は、第１同期信号および／または第２同期信号を含み、第１同期信号のシーケンスおよび／または第２同期信号のシーケンスは、同期参照元のタイプを示すために使用される、段階とを備える、方法が提供される。
【００２６】
第３態様に関連して、第３態様の第１の可能な実装において、第１同期信号の少なくとも１つのシーケンスは、同期参照元のタイプを示すために使用され、または、第１同期信号は、第１シンボルおよび第２シンボルを占有し、第１シンボルによって使用されるシーケンスもしくは第２シンボルによって使用されるシーケンスの少なくとも１つの組み合わせは、同期参照元のタイプを示すために使用され、または、第２同期信号のシーケンスセットは、少なくとも２つのシーケンスサブセットを含み、少なくとも２つのシーケンスサブセットのうちの少なくとも１つは、同期参照元のタイプを示すために使用され、または、第２同期信号は、第３シンボルおよび第４シンボルを含み、第３シンボルによって使用されるシーケンスもしくは第４シンボルによって使用されるシーケンスの少なくとも１つの組み合わせは、同期参照元のタイプを示すために使用され、または、第１同期信号は、第１シンボルおよび第２シンボルを占有し、第２同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの少なくとも１つの組み合わせが、同期参照元のタイプを示すために使用される。
【００２７】
第３態様、または、第３態様の第１の可能な実装方式に関連して、第３態様の第２の可能な実装において、方法は、ユーザ機器が制御情報を送信する段階であって、第１同期信号のシーケンスおよび／または第２同期信号のシーケンス、ならびに制御情報は、同期参照元のタイプを示すために使用される、段階をさらに備える。
【００２８】
第３態様、または、第３態様の第１の可能な実装に関連して、第３態様の第３の可能な実装において、方法は、ユーザ機器が制御情報を送信する段階であって、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む、段階をさらに備える。
【００２９】
第４態様によれば、ユーザ機器であって、同期情報を取得するように構成されている取得ユニットであって、同期情報は、同期元の選択パラメータ情報、同期元指示情報、または同期元の優先度情報のうちの少なくとも１つの情報を含む、取得ユニットと、少なくとも１つの同期元の第１同期信号を受信するように構成されているトランシーバユニットと、取得ユニットによって取得された同期情報、および、トランシーバユニットによって受信された第１同期信号に従って同期参照元を決定するように構成されている決定ユニットとを備えるユーザ機器が提供される。
【００３０】
第４態様に関連して、第４態様の第１の可能な実装において、決定ユニットは、具体的には、第１同期信号に従って、少なくとも１つの同期元から、選択パラメータを満たす同期元を同期参照元として選択するように構成されている。
【００３１】
第４態様に関連して、第４態様の第２の可能な実装において、同期元指示情報は、第１同期元を示すために使用され、決定ユニットは、具体的には、第１同期信号に従って、第１同期元を同期参照元として選択するように構成されている。
【００３２】
第４態様に関連して、第４態様の第３の可能な実装において、決定ユニットは、具体的には、優先度情報および第１同期信号に従って、少なくとも１つの同期元から、最高優先度を有する同期元を同期参照元として選択するように構成されている。
【００３３】
第４態様に関連して、第４態様の第４の可能な実装において、同期元指示情報は、第１同期元を示すために使用され、決定ユニットは、具体的には、第１同期信号に従って、少なくとも１つの同期元が第１同期元を含むと決定し、および、第１同期元が予め定義された条件を満たす場合、第１同期元を同期参照元として選択し、または、第１同期元の信号が予め定義された条件を満たさない場合、優先度情報に従って、第１同期元を除く少なくとも１つの同期元から、最高優先度を有する第２同期元を同期参照元として選択するように構成されている。
【００３４】
第４態様、または、第４態様の第１から第４の可能な実装のいずれか１つに関連して、第４態様の第５の可能な実装において、第１同期信号は、第２同期信号および／または第３同期信号を含み、決定ユニットは、具体的には、第２同期信号のシーケンスおよび／または第３同期信号のシーケンスに従って、少なくとも１つの同期元のタイプを決定し、ならびに、同期情報および少なくとも１つの同期元のタイプに従って、同期参照元を選択するように構成されている。
【００３５】
第４態様の第５の可能な実装に関連して、第４態様の第６の可能な実装において、第２同期信号の第１シーケンス、第２シーケンスおよび第３シーケンスは、異なる同期元タイプを示すために使用され、第１シーケンス、第２シーケンスおよび第３シーケンスは互いに異なり、または、第２同期信号は、第１シンボルおよび第２シンボルを占有し、第１シンボルによって使用されるシーケンスもしくは第２シンボルによって使用されるシーケンスの複数の組み合わせは、異なる同期元タイプを示すために使用され、または、第３同期信号のシーケンスセットは、複数のシーケンスサブセットを含み、複数のシーケンスサブセットは、異なる同期元タイプを示すために使用され、または、第３同期信号は、第３シンボルおよび第４シンボルを占有し、第３シンボルによって使用されるシーケンスもしくは第４シンボルによって使用されるシーケンスの複数の組み合わせは、異なる同期元タイプを示すために使用され、または、第２同期信号は、第１シンボルおよび第２シンボルを占有し、第３同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの複数の組み合わせは、異なる同期元タイプを示すために使用される。
【００３６】
第４態様、または、第４態様の第１から第４の可能な実装のうちのいずれか１つに関連して、第４態様の第７の可能な実装において、トランシーバユニットはさらに、少なくとも１つの同期元によって送信された第１制御情報を受信するように構成され、決定ユニットは、具体的には、第１制御情報に従って、少なくとも１つの同期元のタイプを決定し、同期情報、第１同期信号、および少なくとも１つの同期元のタイプに従って、同期参照元を決定するように構成されている。
【００３７】
第４態様、または、第４態様の第１から第６の可能な実装のいずれか１つに関連して、第４態様の第８の可能な実装において、トランシーバユニットはさらに、少なくとも１つの同期元によって送信された第１制御情報を受信するように構成され、第１制御情報は、同期元タイプの補助指示情報、同期信号送信サイクルの指示情報、同期信号が送信されたかどうかを示す指示情報、同期信号が有効かどうかを示す指示情報、同期信号が送信された時間‐周波数位置の指示情報、または、同期元のホップカウントの指示情報のうちの少なくとも１つの情報を含む。
【００３８】
第４態様の第７の可能な実装に関連して、第４態様の第９の可能な実装において、第１同期信号は、第２同期信号および／または第３同期信号を含み、決定ユニットは、具体的には、第２同期信号のシーケンスおよび／または第３同期信号のシーケンス、ならびに、第１制御情報に従って、少なくとも１つの同期元のタイプを決定するように構成されている。
【００３９】
第４態様、または、第４態様の上記の可能な実装のいずれか１つに関連して、第４態様の第１０の可能な実装において、取得ユニットは具体的には、基地局によって送信された同期情報を受信するように構成されている。
【００４０】
第４態様の第１０の可能な実装に関連して、第４態様の第１１の可能な実装において、トランシーバユニットはさらに、取得ユニットが同期情報を受信する前に、少なくとも１つの同期元についての情報を基地局へ送信するように構成されることにより、基地局が、少なくとも１つの同期元についての情報に従って、同期情報を決定する。
【００４１】
第４態様、または、第４態様の上記の可能な実装のいずれか１つに関連して、第４態様の第１２の可能な実装において、トランシーバユニットはさらに、同期参照元に従って、第４同期信号および／または第２制御情報を送信するように構成され、第４同期信号および／または第２制御情報は、同期参照元のタイプを示すために使用される。
【００４２】
第４態様、または、第４態様の上記の可能な実装のいずれか１つに関連して、第４態様の第１３の可能な実装において、決定ユニットはさらに、同期参照元のタイミング基準と、別のリンクにおける同期参照元のタイミング基準との間のタイミングオフセットを決定するように構成され、トランシーバユニットはさらに、同期参照元のタイミング基準、および、決定ユニットによって決定されたタイミングオフセットに従って、通信を実行するように構成されている。
【００４３】
第４態様の第１３の可能な実装に関連して、第４態様の第１４の可能な実装において、トランシーバユニットはさらに、基地局によって送信されたタイミングオフセット指示情報を受信するように構成され、タイミングオフセット指示は、タイミングオフセットを示すために使用され、決定ユニットは、具体的には、トランシーバユニットによって受信されたタイミングオフセット指示情報に従って、タイミングオフセットを決定するように構成されている。
【００４４】
第４態様の第１３の可能な実装に関連して、第４態様の第１５の可能な実装において、取得ユニットはさらに、別のリンクにおける同期参照元のタイミング基準を取得するように構成され、決定ユニットは、具体的には、同期参照元のタイミング基準、および、別のリンクにおける同期参照元のタイミング基準に従って、タイミングオフセットを決定するように構成されている。
【００４５】
第５態様によれば、同期情報を決定するように構成されている決定ユニットであって、同期情報は、同期元の選択パラメータ情報、同期元指示情報、または同期元の優先度情報のうちの少なくとも１つの情報を含む、決定ユニットと、同期情報をユーザ機器へ送信するように構成されている送信ユニットとを備える基地局が提供される。
【００４６】
第５態様に関連して、第５態様の第１の可能な実装において、送信ユニットはさらに、制御情報をユーザ機器へ送信するように構成され、制御情報は、同期参照元のタイプおよび／または識別子を示すために使用される。
【００４７】
第５態様に関連して、第５態様の第２の可能な実装において、基地局はさらに、基地局が制御情報をユーザ機器へ送信することであって、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または同期元のホップカウントの指示情報のうちの少なくとも１つの情報を含む、ことを備える。
【００４８】
第５態様、または、第５態様の第１もしくは第２の可能な実装のいずれか１つに関連して、第５態様の第３の可能な実装において、基地局は、同期情報を送信ユニットがユーザ機器へ送信する前に、少なくとも１つの同期元についての情報を受信するように構成されている受信ユニットであって、情報は、ユーザ機器によって送信される、受信ユニットをさらに備え、決定ユニットは、具体的には、受信ユニットによって受信された少なくとも１つの同期元についての情報に従って、同期情報を決定するように構成されている。
【００４９】
第５態様、または、第５態様の上記の可能な実装のいずれか１つに関連して、第５態様の第４の可能な実装において、送信ユニットはさらに、タイミングオフセット指示情報をユーザ機器へ送信するように構成され、タイミングオフセット指示情報は、ユーザ機器の同期参照元のタイミング基準と、別のリンクにおける同期参照元のタイミング基準との間のタイミングオフセットを示すために使用される。
【００５０】
第６態様によれば、同期参照元を決定するように構成されている決定ユニットであって、同期参照元のタイプは、全球測位衛星システム、基地局またはユーザ機器のうちのいずれか１つである、決定ユニットと、同期参照元に従って同期信号を送信するように構成されている送信ユニットであって、同期信号は、第１同期信号および／または第２同期信号を含み、第１同期信号のシーケンスおよび／または第２同期信号のシーケンスは、同期参照元のタイプを示すために使用される、送信ユニットとを備えるユーザ機器が提供される。
【００５１】
第６態様に関連して、第６態様の第１の可能な実装において、第１同期信号の少なくとも１つのシーケンスは、同期参照元のタイプを示すために使用され、または、第１同期信号は、第１シンボルおよび第２シンボルを占有し、第１シンボルによって使用されるシーケンスもしくは第２シンボルによって使用されるシーケンスの少なくとも１つの組み合わせは、同期参照元のタイプを示すために使用され、または、第２同期信号のシーケンスセットは、少なくとも２つのシーケンスサブセットを含み、少なくとも２つのシーケンスサブセットのうちの少なくとも１つは、同期参照元のタイプを示すために使用され、または、第２同期信号は、第３シンボルおよび第４シンボルを含み、第３シンボルによって使用されるシーケンスもしくは第４シンボルによって使用されるシーケンスの少なくとも１つの組み合わせは、同期参照元のタイプを示すために使用され、または、第１同期信号は、第１シンボルおよび第２シンボルを占有し、第２同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの少なくとも１つの組み合わせが、同期参照元のタイプを示すために使用される。
【００５２】
第６態様、または、第６態様の第１の可能な実装に関連して、第６態様の第２の可能な実装において、送信ユニットはさらに、制御情報を送信するように構成され、第１同期信号のシーケンスおよび／または第２同期信号のシーケンス、ならびに制御情報は、同期参照元のタイプを示すために使用される。
【００５３】
第６態様、または、第６態様の第１の可能な実装に関連して、第６態様の第３の可能な実装において、送信ユニットはさらに、制御情報を送信するように構成され、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む。
【００５４】
上記の技術的解決法に基づいて、同期情報が取得され、同期参照元が、同期情報、および、少なくとも１つの同期元によって送信された同期信号に従って決定され、その結果、同期を実装できる。
【図面の簡単な説明】
【００５５】
本発明の実施形態における技術的解決法をより明確に説明すべく、本発明の実施形態を説明するために必要な添付図面について以下で簡潔に説明する。以下の説明における添付図面は、本発明のいくつかの実施形態を示しているに過ぎず、当業者であれば、創造的努力なくこれらの添付図面から他の図面をさらに導き出し得ることは明らかである。
【００５６】
【図１】車車間通信の概略図である。
【００５７】
【図２Ａ】本発明の実施形態に係るシステムアーキテクチャの概略図である。
【００５８】
【図２Ｂ】本発明の実施形態に係る別のシステムアーキテクチャの概略図である。
【００５９】
【図３】本発明の実施形態に係る同期方法の概略的フローチャートである。
【００６０】
【図４】本発明の別の実施形態に係る同期方法の概略的フローチャートである。
【００６１】
【図５】本発明の実施形態に係る同期信号の概略図である。
【００６２】
【図６】本発明の実施形態に係る別のシステムアーキテクチャの概略図である。
【００６３】
【図７】本発明の実施形態に係る、セルラーリンクとデバイス間リンクとの間のタイミングオフセットの概略図である。
【００６４】
【図８】本発明のさらに別の実施形態に係る同期方法の概略的フローチャートである。
【００６５】
【図９】本発明のさらに別の実施形態に係る同期方法の概略的フローチャートである。
【００６６】
【図１０】本発明の実施形態に係るユーザ機器の概略的ブロック図である。
【００６７】
【図１１】本発明の実施形態に係る基地局の概略的ブロック図である。
【００６８】
【図１２】本発明の別の実施形態に係るユーザ機器の概略的ブロック図である。
【００６９】
【図１３】本発明の別の実施形態に係るユーザ機器の概略的ブロック図である。
【００７０】
【図１４】本発明の別の実施形態に係る基地局の概略的ブロック図である。
【００７１】
【図１５】本発明の別の実施形態に係るユーザ機器の概略的ブロック図である。
【発明を実施するための形態】
【００７２】
本発明の実施形態における添付図面に関連して、本発明の実施形態における技術的解決法を以下で明確かつ完全に説明する。記載されている実施形態が本発明の実施形態のすべてではなく、一部であることは明らかである。当業者によって、本発明の実施形態に基づいて、創造的努力なく取得されたすべての他の実施形態は、本発明の保護範囲内に属するものとする。
【００７３】
車車間通信のためのインターネットオブビークルのシステムにおいて、同期元は、進化型ノードＢ（Ｅｖｏｌｖｅｄ  ＮｏｄｅＢ、ｅＮＢ）であり得るか、または、全球測位衛星システム（Ｇｌｏｂａｌ  Ｎａｖｉｇａｔｉｏｎ  Ｓａｔｅｌｌｉｔｅ  Ｓｙｓｔｅｍ、ＧＮＳＳ）であり得るか、または、ユーザ機器（Ｕｓｅｒ  Ｅｑｕｉｐｍｅｎｔ、ＵＥ）であり得る。
【００７４】
本発明の実施形態において、ユーザ機器（Ｕｓｅｒ  Ｅｑｕｉｐｍｅｎｔ、ＵＥ）には、非限定的な例として、車載デバイス、移動局（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、またはポータブルデバイス（ｐｏｒｔａｂｌｅ  ｅｑｕｉｐｍｅｎｔ）が含まれる。代替的に、ＵＥは、車載デバイス機能を有する路側ユニット（Ｒｏａｄ  Ｓｉｄｅ  Ｕｎｉｔ、ＲＳＵ）であり得る。
【００７５】
基地局は、ＧＳＭ（登録商標）もしくはＣＤＭＡにおけるトランシーバ基地局（Ｂａｓｅ  Ｔｒａｎｓｃｅｉｖｅｒ  Ｓｔａｔｉｏｎ、ＢＴＳ）であり得るか、または、ＷＣＤＭＡ（登録商標）におけるノードＢ（ＮｏｄｅＢ、ＮＢ）であり得るか、または、ＬＴＥにおける進化型ノードＢ（Ｅｖｏｌｖｅｄ  ＮｏｄｅＢ、ｅＮＢ）であり得る。これは、本発明の実施形態に限定されるものではない。代替的に、基地局は、基地局機能を有するＲＳＵであり得るか、または、基地局は、ネットワークと称され得る。これは、本発明において限定されるものではない。本発明において、基地局またはｅＮＢは、説明のための例として使用される。
【００７６】
説明を容易にするため、ＵＥおよびｅＮＢは、本発明の実施形態における説明のための例として使用される。
【００７７】
以下では、本発明の実施形態における技術用語を説明する。
【００７８】
全球測位衛星システム（ＧＮＳＳ）：国および地域によって提供される測位衛星システムを含み、例えば、中国の北斗測位衛星システム、米国のＧＰＳ、欧州のガリレオ測位システム、およびロシアのＧＬＯＮＡＳＳなどが挙げられる。
【００７９】
同期元：同期レシーバが直接同期される同期元であり、例えば、ＧＮＳＳ、ｅＮＢまたはＵＥが挙げられる。ＧＮＳＳ、ｅＮＢおよびＵＥは、異なる外部参照元または独立参照元とみなされ得る。
【００８０】
同期参照元またはタイミングソース：ＵＥが同期信号を外へ送信するときに参照として使用される同期元またはタイミングのタイプであり、ＧＮＳＳ、ｅＮＢまたはＵＥが含まれる。この場合、ＵＥが同期信号を外へ送信するとき、参照として使用される同期元タイプおよび／または転送ホップカウントが異なる場合を除き、参照元は従属参照元とみなされ得る。
【００８１】
同期信号：同期信号の特徴は、同期元に応じて異なる。同期元がｅＮＢであるとき、同期信号は、ｅＮＢによって送信されるダウンリンク物理信号のうちの１または複数である。同期元がＵＥであるとき、同期信号は、同期を実装するために、ＵＥによって送信され、かつ、別のレシーバＵＥによって検出される信号であり、デバイス間の同期信号を含む。同期元がＧＮＳＳであるとき、同期信号は、衛星レシーバモジュールが同期信号を受信して時間‐周波数同期、報時および測位などの機能を実装できるようにするために、様々な規格の衛星システムによって伝送される予め定義された同期信号である。
【００８２】
図２Ａは、本発明の実施形態に係るシステムアーキテクチャ２００の概略図である。図２Ａに示されるように、システムアーキテクチャ２００は、複数のユーザ機器（ＵＥ１、ＵＥ２およびＵＥ３）であって、互いに通信し得るユーザ機器と、１または複数の基地局（ｅＮＢ）であって、各ユーザ機器および／またはＲＳＵと通信し得る１または複数の基地局と、１または複数の全球測位衛星システム（ＧＮＳＳ）であって、別のネットワーク要素のために、例えば、測位、報時および時間‐周波数同期についての情報を提供し得る１または複数の全球測位衛星システムとを備える。
【００８３】
車両が高速で移動しながら、ＵＥ１およびＵＥ２が反対方向に移動しているとき、ＵＥ１およびＵＥ２の相対移動速度は最大となる。ユーザ機器は互いに通信し得て、通信中は、セルラーリンクスペクトルを使用し得るか、または、５．９ＧＨｚに近いインテリジェント交通スペクトルを使用し得る。互いに通信するためにユーザ機器によって使用される技術は、ＬＴＥプロトコルに基づいて増強され得るか、または、Ｄ２Ｄ技術に基づいて増強され得る。これは、本発明のこの実施形態において限定されるものではない。
【００８４】
図２Ｂは、本発明の実施形態に係る、複数のタイプの同期元のシナリオの概略図である。
【００８５】
図２Ｂにおいて、ＵＥ４、ＵＥ５およびＵＥ６は、ＵＥによって送信された同期信号のみを検出できる。例えば、ＵＥ４は、ＵＥ１、ＵＥ２およびＵＥ７に由来する同期元を検出できる。ＵＥ１の同期参照元はＧＮＳＳである。ＵＥ１は、同期信号および／または制御情報を外へ送信するとき、ＵＥ１の同期参照元タイプがＧＮＳＳであることをＵＥ１のレシーバに示す必要がある。加えて、同期信号および／または制御情報を外へ送信するとき、ＵＥ１は、ＵＥ１のホップカウントが第１ホップであることを示す（ＧＮＳＳからＵＥ１へのホップカウントは第０ホップであると仮定する）。ＵＥ７は、ＵＥ７をタイミング基準として使用することによって送信を実行する同期元である。この場合、ＵＥ７のタイミング基準は、ローカルの水晶発振器などの、ＵＥ７のローカルデバイスに基づいて生成される。
【００８６】
図３は、本発明の実施形態に係る同期方法３００の概略的フローチャートである。図３に示されるように、同期方法３００は以下の内容を備える。
【００８７】
３１０：ＵＥが同期情報を取得し、同期情報は、同期元の選択パラメータ情報、同期元指示情報、または同期元の優先度情報のうちの少なくとも１つの情報を含む。
【００８８】
同期元の選択パラメータ情報は、同期元タイプ、同期元の信号品質閾値、同期元のホップカウント閾値、同期元の検出／検索時間長閾値、または同期元の安定性閾値のうち少なくとも１つを含み得る。信号品質は、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、または受信信号強度インジケータ（ｒｅｃｅｉｖｅｄ  ｓｉｇｎａｌ  ｓｔｒｅｎｇｔｈ  ｉｎｄｉｃａｔｉｏｎ、ＲＳＳＩ）のうちの少なくとも１つを含む。
【００８９】
３２０：ＵＥが、少なくとも１つの同期元によって送信された第１同期信号を受信する。
【００９０】
具体的には、ＵＥは、少なくとも１つの同期元の各々によって送信された第１同期信号を受信する。
【００９１】
少なくとも１つの同期元は、ＧＮＳＳタイプ、ｅＮＢタイプ、もしくはＵＥタイプの同期元を含み得るか、または、少なくとも１つの同期元は、複数のタイプの同期元を含み得ることを理解すべきである。
【００９２】
例えば、ネットワークカバレッジがある適用シナリオにおいて、ＵＥは、ｅＮＢおよびＧＮＳＳによって送信された同期信号を受信し得る。ネットワークカバレッジが無い適用シナリオにおいて、ＵＥは、ＧＮＳＳによって送信された同期信号を受信し得る。または、ｅＮＢもＧＮＳＳも検出されないシナリオにおいて、ＵＥは、ＵＥによって送信された同期信号を受信し得る。
【００９３】
３３０：ＵＥが、同期情報および第１同期信号に従って同期参照元を決定する。
【００９４】
同期参照元は、段階３２０においてＵＥによって検出された少なくとも１つの同期元のうちの1つであり得る。しかしながら、これは、本発明のこの実施形態において限定されるものではない。ＵＥによって検出された少なくとも１つの同期元が同期情報における要件を満たさないとき、同期参照元は当該ＵＥである。
【００９５】
段階３３０の後、ＵＥは、同期参照元の同期信号に従って、同期参照元と同期され得る。
【００９６】
同期の後、ＵＥは別のデバイスと通信し得る。例えば、ＵＥは、同期参照元、基地局または別のＵＥと通信し得る。
【００９７】
本発明のこの実施形態において、同期情報が取得され、同期参照元が、同期情報、および、少なくとも１つの同期元によって送信された同期信号に従って決定され、その結果、同期を実装できる。
【００９８】
加えて、本発明のこの実施形態において、ＵＥによって検出された少なくとも１つの同期元が、複数のタイプの同期元を含むとき、ＵＥは、同期情報に従って、複数のタイプの同期元から同期参照元を決定できる。
【００９９】
任意で、段階３１０は、ＵＥが、基地局によって送信された同期情報を受信する段階を有し得る。
【０１００】
例えば、同期情報は、基地局によって配信されるシグナリング（ブロードキャストメッセージまたは専用メッセージなど）に保持され得る。
【０１０１】
すなわち、同期情報は基地局によって配信され得る。しかしながら、これは、本発明のこの実施形態において限定されるものではない。代替的に、同期情報はＵＥ上で予め構成され得るか、または、プロトコルを使用することによって予め定義され得る。
【０１０２】
任意で、ＵＥが同期情報を受信する前に、方法３００はさらに、ＵＥが、少なくとも１つの同期元についての情報を基地局へ送信することにより、基地局が、少なくとも１つの同期元についての情報に従って同期情報を決定する段階を備え得る。
【０１０３】
図４に示されるように、本発明のこの実施形態において、ＵＥは最初に、ＵＥによって検出された同期元についての情報を報告し得て、基地局は、ＵＥからの報告を受信した後に、同期情報をＵＥへ送信する。同期元についての情報は、タイプおよび対応する信号品質を含む。
【０１０４】
同期元についての情報は、同期元のタイプ、信号品質またはホップカウントのうちの少なくとも１つを含み得る。同期元の信号品質は、同期元のＲＳＲＰ、ＲＳＲＱまたはＲＳＳＩ、同期元信号の安定性、同期参照元の安定時間、または同期元の検索時間のうちの少なくとも１つを含み得る。
【０１０５】
ＵＥによって同期元タイプを決定するための方法については、下記の対応する内容を参照されたい。繰り返しを避けるために、詳細はここでは再度説明しない。
【０１０６】
結論として、同期情報は、ＵＥ上で予め構成され得るか、または、基地局によってＵＥへ事前に配信され得るか、または、ＵＥによって報告された情報を基地局が受信した後に基地局によってＵＥへ配信され得る。
【０１０７】
任意で、別の実施形態において、同期情報は同期元の選択パラメータ情報を含み得る。それに応じて、段階３３０は、ＵＥが、第１同期信号に従って、少なくとも１つの同期元から、選択パラメータ情報を満たす同期元を同期参照元として選択する段階を含む。
【０１０８】
例えば、選択パラメータ情報は、同期参照元が、対応する信号品質閾値を満たす（例えば、それより高い、または低くない）必要があること、または、同期参照元の検出／検索時間が、対応する閾値より低いこと、または、同期参照元の安定性が予め定義された条件を満たすことなどを含み得る。
【０１０９】
本発明のこの実施形態において、ＵＥは、少なくとも１つの同期元の信号品質を検出し、次に、同期元選択パラメータに従って、同期参照元を選択する必要がある。
【０１１０】
任意で、別の実施形態において、同期情報は、同期元指示情報を含み得て、同期元指示情報は、第１同期元を示すために使用される。同期元指示情報は、同期元識別情報、同期元タイプ情報、または、同期元の現在のホップカウント情報のうちの少なくとも１つを含む。
【０１１１】
それに応じて、段階３３０は、ＵＥが、第１同期信号に従って、第１同期元を同期参照元として選択する段階を有する。
【０１１２】
すなわち、基地局は、ＵＥについての同期参照元を指定し得る。
【０１１３】
同期情報が基地局によって送信される場合、ＵＥの同期参照元は、実際には基地局によって選択される。基地局側の情報がもっとも安全なので、本発明のこの実施形態に従って、最適な決定を行うことができる。
【０１１４】
任意で、別の実施形態において、同期情報は、同期元の優先度情報を含む。それに応じて、段階３３０は、ＵＥが、優先度情報および第１同期信号に従って、少なくとも１つの同期元から、最高優先度を有する同期元を同期参照元として選択する段階を有する。
【０１１５】
同期元の優先度情報は、同期元タイプの優先度情報、同期元の信号品質の優先度情報、または、同期元のホップカウントの優先度情報のうちの少なくとも１つを含み得る。
【０１１６】
同期元タイプの優先度情報は、最高優先度を有する同期元、または、様々な同期元の優先度順位を示すために使用される。例えば、同期元の優先度は、ＧＮＳＳ＞ｅＮＢ＞ＵEであり得るか、または、ｅＮＢ＞ＧＮＳＳ＞ＵＥであり得る。ＵＥがｅＮＢおよび／またはＧＮＳＳと同期されるとき、同期元の優先度情報は、異なるホップカウントを有するＵＥ同期元、ＧＮＳＳおよびｅＮＢの間の順位の指示情報であり得る。例えば、ＧＮＳＳ＞ＵＥ（ＧＮＳＳのホップカウントは１）＞ｅＮＢ＞ＵＥ（ｅＮＢのホップカウントは１）であるか、または、ｅＮＢ＞ＵＥ（ｅＮＢのホップカウントは１）＞ＧＮＳＳ＞ＵＥ（ＧＮＳＳのホップカウントは１）である。ここでは、すべての例を列挙しているわけではない。
【０１１７】
同期元の信号品質の優先度情報は、高い信号品質を有する同期元が、優先同期参照元であることを示し得る。同期元のホップカウントの優先度情報は、最小ホップカウントを有する同期元が、優先同期参照元であることを示し得る。
【０１１８】
すなわち、同期元の優先度情報は、１つのタイプの優先度情報を含み得るか、または、複数のタイプの優先度情報を含み得る。複数の優先度があるとき、優先度の定義された順序は、段階的に同期参照元を選択するためのスクリーニング条件として使用され得る。例えば、３つの優先度、すなわちＣ１、Ｃ２およびＣ３がある。３つの優先度は、同期元タイプの優先度情報、同期元の信号品質の優先度情報、および同期元のホップカウントの優先度情報であり得る。ＵＥは最初に、同期参照元を選択するための決定条件として優先度Ｃ１を使用し、同期参照元をさらに選択するための決定条件として優先度Ｃ２をさらに使用し、同期参照元をさらに選択するための決定条件として優先度Ｃ３を使用し得る。上記３つの段階のいずれか１つにおいて、決定された同期元が選択された場合、同期参照元の選択に成功したとみなされ得る。条件の１つに従って、同期参照元の選択に失敗した場合、決定された同期参照元が選択されるまで、他の優先度情報に従って、同期参照元が引き続き選択される。
【０１１９】
すなわち、ＵＥが、１つのタイプの優先度情報に従って、同期元を同期参照元として選択できない場合、ＵＥは、複数のタイプの優先度情報に従って、特定の順序でレイヤごとにスクリーニングを実行し、同期元を同期参照元として決定し得る。例えば、第１タイプの優先度情報に従って、複数の同期元が選択されたとき、ＵＥはさらに、第２タイプの優先度情報に従って、同期元を同期参照元として引き続き選択し得る。当然、第２タイプの優先度情報に従って選択された同期元の数がまだ１より大きい場合、ＵＥは、他の優先度情報に従ってさらなる選択を実行するか、または、ランダムな選択を実行し得る。詳細はここで説明しない。複数のタイプの優先度情報があるとき、ＵＥが同期参照元を選択するときに使用される複数のタイプの優先度情報の順序は、本発明のこの実施形態において、限定されるものではない。
【０１２０】
選択された同期参照元の数が１より大きいとき、ＵＥは、最終的に使用された同期参照元をランダムに選択し得ることに留意すべきである。
【０１２１】
例えば、Ｍ１の同期元が検出されたとき、ＵＥは最初に、例えばｅＮＢ＞ＧＮＳＳ＞ＵＥなどの、同期元タイプの優先度情報に従って、ｅＮＢタイプのＭ２の同期元をＭ１の同期元から選択し、次に、Ｍ２の同期元から、予め定義された条件を満たす信号品質を有する同期元を同期参照元として選択する。Ｍ２の同期元におけるＭ３の同期元の信号品質が同一であるとき、Ｍ３の同期元が、ＵＥによる転送を必要とするＭ３の同期参照元である適用シナリオにおいて、ＵＥはさらに、Ｍ３の同期元から、最小のＵＥ転送ホップカウントを有する同期元を同期参照元として選択し得る。
【０１２２】
別の例として、図２Ｂに示されているＵＥ１の同期参照元は、ＧＮＳＳである。ＵＥ２が送信を実行するときに使用される同期参照元もＧＮＳＳである場合、同期参照元が同一なので、ＵＥ４は、ＵＥ１およびＵＥ２によって送信された同期情報を受信するとき、ホップカウントおよび信号品質に従って選択を実行し得る。ここで、ホップカウントはまったく同一である。従って、ＵＥ４は、信号品質に従って選択を実行し得る。例えば、ＵＥ１からＵＥ４への損失がより小さい場合、ＵＥ４は、ＵＥ４の同期元としてＵＥ１を選択し得る。同様に、ＵＥ５は、ＵＥ２、ＵＥ４およびＵＥ６によって送信された同期情報を受信でき、ＵＥ５は、ＵＥ２、ＵＥ４およびＵＥ６から、同期元を同期参照元として選択する必要がある。ＵＥ５が最小ホップカウント基準に従って選択を実行する場合、ＵＥ５は、ＵＥ５の同期元としてＵＥ２を選択し得る（ＵＥ２がＧＮＳＳまたはｅＮＢをＵＥ２の同期元として選択した場合）。
【０１２３】
任意で、別の実施形態において、同期元指示情報は、第１同期元を示すために使用される。それに応じて、段階３３０は、ＵＥが第１同期信号に従って、少なくとも１つの同期元が第１同期元を含むと決定する段階と、第１同期元が予め定義された条件を満たす場合、ＵＥが、第１同期元を同期参照元として選択し、または、第１同期元の信号が予め定義された条件を満たさない場合、ＵＥが優先度情報に従って、第１同期元を除く少なくとも１つの同期元から、最高優先度を有する第２同期元を同期参照元として選択する段階とを有し得る。
【０１２４】
予め定義された条件は、第２同期元の信号品質が予め設定された閾値を満たすこと、第２同期元のホップカウントが予め設定された閾値を満たすこと、第２同期元の検出／検索時間長が予め設定された閾値を満たすこと、または、第２同期元のタイプが予め設定されたタイプであることのうちの少なくとも１つを含み得る。
【０１２５】
予め定義された条件は、ＵＥ上で予め構成され得るか、または、同期情報において保持され得るか、または、別の方式でＵＥによって取得され得る。これは、本発明のこの実施形態において限定されるものではない。同様に、優先度情報は、ＵＥ上で予め構成され得るか、または、同期情報において保持され得るか、または、別の方式でＵＥによって取得され得る。これは、本発明のこの実施形態において限定されるものではない。
【０１２６】
すなわち、ＧＮＳＳが同期参照元として使用されることを、同期情報における同期元指示情報が示す場合、ＵＥが複数の異なるタイプの複数の同期元を検出するとき、ＵＥは最初に、ＧＮＳＳが検出されるかどうかを決定する。検出されたＧＮＳＳ信号が、予め定義された条件を満たす場合、ＵＥは、同期信号を外に送信するためにＧＮＳＳを同期参照元として直接使用し、使用される同期参照元がＧＮＳＳであることをＵＥのレシーバに示し、ＵＥによって送信される同期信号のホップカウントを示す。ＧＮＳＳが検出されない場合、または、検出されたＧＮＳＳ信号が、予め定義された条件を満たさない場合、ＵＥは、ＵＥによって検出された別の同期元、または、ＵＥによる転送を必要とする同期元／同期参照元の、タイプ、信号品質、またはホップカウントなどの情報と、優先度情報とに従って、同期参照元を選択する。優先度情報に従って同期参照元を選択することの説明については、上記の説明を参照されたい。ここでは詳細を再度説明しない。
【０１２７】
以下では、シナリオ１およびシナリオ２における具体的な例に関連して、本発明のこの実施形態における方法を詳細に説明する。
【０１２８】
シナリオ１：ＧＮＳＳが優先同期元である。シナリオ１は、ネットワーク外および／またはネットワーク内において、ｅＮＢがＧＮＳＳを優先同期元として構成するシナリオに適用可能である。
【０１２９】
段階１：ＧＮＳＳが優先同期元であることを、取得された同期情報が示す場合、レシーバが複数の異なるタイプの複数の同期元を検出するとき、レシーバは最初に、レシーバがＧＮＳＳを検出したかどうか、および、検出されたＧＮＳＳが、予め定義された条件を満たすかどうかを決定する。
【０１３０】
段階２：検出されたＧＮＳＳ信号が、予め定義された条件を満たす場合、レシーバは、ＧＮＳＳを同期参照元として直接使用し、同期信号を外へ送信し、使用される同期参照元がＧＮＳＳであることをレシーバに示し、レシーバによって送信される同期信号のホップカウントを示す。
【０１３１】
段階３：ＧＮＳＳが検出されない場合、または、検出されたＧＮＳＳ信号が、予め定義された条件を満たさない場合、下の基準に従って、ならびに、ＵＥによって検出された別の同期元、または、ＵＥが信号を転送することを必要とする同期参照元のタイプ、信号品質、またはホップカウントなどの情報に従って、連続的に同期元を選択する（この場合、同期元は、ＧＮＳＳおよびＵＥを含み得て、ＵＥが信号を転送することを必要とするタイミング参照元は、ｅＮＢ、ＧＮＳＳまたはＵＥのうちの１つを含み得る）。
【０１３２】
１）同期元タイプは第１優先度であり、信号品質は第２優先度であり、ホップカウントは第３優先度である。
【０１３３】
例えば、ＵＥは、複数の同期参照元からの、ＵＥによって転送された信号を受信し、複数の同期参照元は、ｅＮＢタイプのＭ１の同期参照元、ＧＮＳＳタイプのＭ２の同期参照元、およびＵＥタイプのＭ３の同期参照元である。
【０１３４】
同期参照元タイプが第１優先度である場合、例えば、優先度の順序がＧＮＳＳ＞ｅＮＢ＞ＵEである場合、ＵＥは、予め定義された条件を満たす信号品質を有するＭ２１の同期参照元をＧＮＳＳタイプのＭ２の同期参照元から発見し、次に、最小ホップカウントを有する同期参照元をＭ２１の同期参照元から発見し、同期参照元をＵＥの同期参照元として使用する。
【０１３５】
第２優先度および第３優先度は交換可能であり得る。例えば、ＵＥは、ＧＮＳＳタイプのＭ２の同期参照元から、予め定義された条件を満たすホップカウントを有するＭ２１の同期参照元を発見し得て、次に、Ｍ２１の同期参照元から、最高の信号品質を有する同期参照元を発見する。
【０１３６】
２）信号品質は第１優先度であり、タイプは第２優先度であり、ホップカウントは第３優先度である。
【０１３７】
例えば、ＵＥは、複数の同期参照元からの、ＵＥによって転送された信号を受信し、複数の同期参照元は、ｅＮＢタイプのＭ１の同期参照元、ＧＮＳＳタイプのＭ２の同期参照元、およびＵＥタイプのＭ３の同期参照元である。
【０１３８】
信号品質が第１優先度である場合、ＵＥは、予め定義された条件を満たす信号品質を有するＭ４の同期参照元をすべての同期参照元から発見し、次に、最高優先度を有するタイプのＭ４１の同期参照元をＭ４の同期参照元から発見し、最後に、最小ホップカウントを有するＭ４１１の同期参照元をＭ４１の同期参照元から発見する。
【０１３９】
同様に、第２優先度および第３優先度は交換可能であり得る。
【０１４０】
３）より小さい／最小ホップカウントは第１優先度であり、タイプは第２優先度であり、ホップカウントは第３優先度である。
【０１４１】
例えば、ＵＥは、複数の同期参照元からの、ＵＥによって転送された信号を受信し、複数の同期参照元は、ｅＮＢタイプのＭ１の同期参照元、ＧＮＳＳタイプのＭ２の同期参照元、およびＵＥタイプのＭ３の同期参照元である。
【０１４２】
より小さい／最小ホップカウントが第１優先度である場合、ＵＥは、最小ホップカウントを有するＭ４の同期参照元をすべての同期参照元から発見し、次に、最高優先度を有するタイプのＭ４１の同期参照元をＭ４の同期参照元から発見し、最後に、予め定義された条件を満たす信号品質を有するＭ４１１の同期参照元をＭ４１の同期参照元から発見する。
【０１４３】
同様に、第２優先度および第３優先度は交換可能であり得る。
【０１４４】
シナリオ２：ｅＮＢが優先同期元である。シナリオ２は、ネットワーク内および／またはネットワーク外にｅＮＢを有するシナリオに適用可能である。
【０１４５】
段階１：取得された同期情報が、予め定義された条件に従って、ＧＮＳＳまたはｅＮＢを同期参照元として選択するように命令する。
【０１４６】
段階２：ＵＥが、下の基準に従って、ならびに、ＵＥによって検出された別の同期元（ｅＮＢおよび／またはＧＮＳＳ）、および、ＵＥによる転送を必要とする同期元／同期参照元の、タイプ、信号品質、またはホップカウントなどの情報に従って、同期元を選択する（この場合、同期元／同期参照元は、ｅＮＢ、ＧＮＳＳまたはＵＥのうちの１つを含み得る）。
１）同期元タイプが第１優先度であり、信号品質もしくはホップカウントのいずれかが第２優先度であり得る。または、
２）信号品質が第１優先度であり、同期元タイプもしくはホップカウントのいずれかが第２優先度であり得る。または、
３）ホップカウントが第１優先度であり、信号品質もしくは同期元タイプのいずれかが第２優先度であり得る。
【０１４７】
上記の基準に従って同期参照元を決定する具体的なプロセスについては、シナリオ１の関連する説明を参照されたい。簡潔にするために、詳細はここでは再度説明しない。
【０１４８】
ＵＥによって検出された同期元が、ＧＮＳＳまたはｅＮＢなどの独立の同期元を含むとき、ＵＥは、好ましくは、ＧＮＳＳまたはｅＮＢを同期参照元として選択し得ることに留意すべきである。ＵＥが、別の同期元ＵＥによって送信された同期信号および／または制御情報に加えて、別の同期参照元（ｅＮＢおよび／またはＧＮＳＳ）を検出した場合、ＵＥは好ましくは、ＵＥの同期参照元を別の同期参照元（ｅＮＢおよび／またはＧＮＳＳ）から決定する。
【０１４９】
同期元の優先度情報は上記の内容に限定されるものではないことに留意すべきである。例えば、同期元の優先度情報はさらに、同期元の検出／検索時間長の優先度情報、および、同期元の安定性の優先度情報などを含み得る。
【０１５０】
任意で、別の実施形態において、第１同期信号は、第２同期信号および／または第３同期信号を含む。
【０１５１】
それに応じて、段階３３０は、ＵＥが、第２同期信号のシーケンスおよび／または第３同期信号のシーケンスに従って、少なくとも１つの同期元のタイプを決定する段階と、ＵＥが、同期情報および少なくとも１つの同期元のタイプに従って、同期参照元を決定する段階とを有する。
【０１５２】
本発明のこの実施形態において、第１同期信号は、第２同期信号および／または第３同期信号を含み得ることに留意すべきである。すなわち、第２同期信号および第３同期信号の両方があり得るか、または、第２同期信号もしくは第３同期信号のみがあり得る。第２同期信号は、ＺＣ（Ｚａｄｏｆｆ−Ｃｈｕ）シーケンスから生成され、第３同期信号は、ロングタームエボリューション（Ｌｏｎｇ  Ｔｅｒｍ  Ｅｖｏｌｕｔｉｏｎ、ＬＴＥ）システムにおけるものと同様の２つのｍシーケンスから生成される。従来技術に対応して、第２同期信号は、デバイス間（Ｄｅｖｉｃｅ  ｔｏ  Ｄｅｖｉｃｅ、Ｄ２Ｄ）システムにおける主Ｄ２Ｄ同期信号（Ｐｒｉｍａｒｙ  Ｄ２Ｄ  Ｓｙｎｃｈｒｏｎｉｚａｔｉｏｎ  Ｓｉｇｎａｌ、ＰＤ２ＤＳＳ）であり得るか、または、ＬＴＥにおける主同期信号（Ｐｒｉｍａｒｙ  Ｓｙｎｃｈｒｏｎｉｚａｔｉｏｎ  Ｓｉｇｎａｌ、ＰＳＳ）であり得るか、または、別の長さを有するＺＣシーケンスから生成される信号であり得る。第３同期信号はＤ２Ｄシステムにおける副Ｄ２Ｄ同期信号（Ｓｅｃｏｎｄａｒｙ  Ｄ２Ｄ  Ｓｙｎｃｈｒｏｎｉｚａｔｉｏｎ  Ｓｉｇｎａｌ、ＳＤ２ＤＳＳ）であり得るか、または、ＬＴＥにおける副同期信号（Ｓｅｃｏｎｄａｒｙ  Ｓｙｎｃｈｒｏｎｉｚａｔｉｏｎ  Ｓｉｇｎａｌ、ＳＳＳ）であり得るか、または、別の長さを有するｍシーケンスから生成されるシーケンスであり得る。第２同期信号および第３同期信号に使用される変調方式は、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）であり得るか、または、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）であり得る。これは、本発明のこの実施形態において限定されるものではない。異なる第１同期シーケンス、例えば第１同期シーケンス２６および３７を表すために、異なるルートシーケンス番号が使用され得る。
【０１５３】
本発明の以下の実施形態において、Ｄ２Ｄシステムにおける同期信号の用語が使用される。しかしながら、上記のように、本発明のこの実施形態における方法は、Ｄ２Ｄシステムに限定されるものではない。本発明のこの実施形態において、第２同期信号のシーケンスまたは第３同期信号のシーケンスの異なる組み合わせが、同期元タイプを示すために使用され、これにより、同期元のトランスミッタおよび同期元のレシーバによる使用を容易にする。
【０１５４】
任意で、ＵＥは、第１同期信号における第２同期信号のシーケンスに従って、少なくとも１つの同期元のタイプを決定し得る。
【０１５５】
可能な実装において、第２同期信号の第１シーケンス、第２シーケンスおよび第３シーケンスが、異なる同期元タイプを示すために使用され、第１シーケンス、第２シーケンスおよび第３シーケンスは互いに異なる。
【０１５６】
例えば、第１シーケンスは、同期元タイプがＧＮＳＳであることを示すために使用され、第２シーケンスは、同期元タイプが基地局であることを示すために使用され、第３シーケンスは、同期元タイプがＵＥであることを示すために使用される。
【０１５７】
既存のＤ２Ｄ同期シーケンス設計プロセスにおいて、ＰＤ２ＤＳＳは２つのシーケンスを含み、２つのシーケンスは、ＺＣシーケンスから生成され、ルートシーケンス番号２６および３７に対応し、（ネットワークありのシナリオにおける）同期元ｅＮＢおよび（ネットワークなしのシナリオにおける）同期元ＵＥに対応する。２つのシーケンスに対応する同期元ＩＤ番号は以下の通りである。  ＰＤ２ＤＳＳシーケンス２６：対応する識別子はｉｄ＿ｎｅｔであり、ＰＤ２ＤＳＳシーケンスのシーケンス識別子セットは｛０，１６７｝である。
ＰＤ２ＤＳＳシーケンス３７：対応する識別子はｉｄ＿ｏｏｎであり、ＰＤ２ＤＳＳシーケンスのシーケンス識別子セットは｛１６８，３３５｝である。
【０１５８】
例えば、第１シーケンスはシーケンスｘであり、第２シーケンスはシーケンス２６であり、第３シーケンスはシーケンス３７であり、ここで、ｘは、長さが６３であり、ＰＤ２ＤＳＳに対応する、ＺＣシーケンスのルートシーケンスの値であり、その範囲は１から６２である。加えて、シーケンスｘは、シーケンス２６および３７と異なり、シーケンス２６および３７に対して比較的低い相互相関を有する。
【０１５９】
例えば、シーケンスｘは、シーケンス２９、３１、２３、２５、３４、３２、４０、または３８などであり得て、同期参照元タイプＧＮＳＳに対応する。代替的に、ＰＤ２ＤＳＳシーケンスｘを生成するために使用されるルートシーケンス番号は、例えば｛２５，２９，３４｝などの別のグループにあり得る。これは、本発明において、限定されるものではない。シーケンスｘに対応する同期元ＩＤ番号は、以下の通りである。ＰＤ２ＤＳＳシーケンスｘ：対応する識別子はｉｄ＿ｇｎｓｓであり、シーケンス識別子セットは｛３３６，５０４｝である。
【０１６０】
ＰＤ２ＤＳＳシーケンスｘは、同期元タイプがＧＮＳＳであることを示す。このことは、同期元のトランスミッタによって選択された同期参照元がＧＮＳＳである場合、同期元のトランスミッタによって伝送されるＰＤ２ＤＳＳ信号は、シーケンスｘであり、対応する同期元のシーケンス識別子セットは｛３３６，５０４｝であることを意味する。同期元によって送信されたＰＤ２ＤＳＳシーケンスが、シーケンス２６、３７、またはｘのいずれか１つであることをレシーバが検出した場合、そのことは、レシーバが、対応する同期元からＰＤ２ＤＳＳシーケンスを受信することを意味する。
【０１６１】
新しく追加されたＰＤ２Ｄシーケンスｘは、同期参照元ＧＮＳＳを示すために使用される。これは、既存のＤ２ＤＳＳ信号の送信または生成に影響を与えず、従来技術と完全に互換性を有することができる。
【０１６２】
ＰＤ２ＤＳＳシーケンス２６、３７、およびｘに対応する同期元タイプは、本発明のこの実施形態において限定されるものではないことに留意すべきである。例えば、ＰＤ２ＤＳＳシーケンス２６は、同期元タイプがＵＥであることを示すために使用され得て、ＰＤ２ＤＳＳシーケンス３７は、同期元タイプがＧＮＳＳであることを示すために使用され得て、ＰＤ２ＤＳＳシーケンスｘは、同期元タイプがｅＮＢであることを示すために使用され得る。
【０１６３】
別の可能な実装において、第２同期信号は、第１シンボルおよび第２シンボルを含み、第１シンボルによって使用されるシーケンス、または、第２シンボルによって使用されるシーケンスの複数の組み合わせは、異なる同期元タイプを示すために使用される。
【０１６４】
図５は、Ｄ２Ｄ通信における同期信号およびＰＳＢＣＨチャネルの概略図を示す。図５に示されるように、Ｄ２Ｄ同期信号Ｄ２ＤＳＳは、ＰＤ２ＤＳＳおよびＳＤ２ＤＳＳを含む。水平方向の線を有する白色の部分は、ＰＳＢＣＨシンボルを配置するために使用され、他の２つの復調参照信号（Ｄｅｍｏｄｕｌａｔｉｏｎ  Ｒｅｆｅｒｅｎｃｅ  Ｓｉｇｎａｌ、ＤＭＲＳ）は、ＰＳＢＣＨ復調のための参照信号であり、最後のシンボルは、空のシンボルであり、ＧＡＰで表されている。
【０１６５】
図５に示されるように、ＰＤ２ＤＳＳは、伝送のためにシンボル１およびシンボル２を占有する。シンボル１によって使用されるシーケンス、または、シンボル２によって使用されるシーケンスの複数の組み合わせが、異なる同期元タイプを示すために使用され得る。例を以下に挙げる。｛ＰＤ２ＤＳＳシンボル１シーケンス，ＰＤ２ＤＳＳシンボル２シーケンス｝＝｛２６，２６｝−＞ｉｄ＿ｎｅｔ：｛０，１６７｝；および／または｛ＰＤ２ＤＳＳシンボル１シーケンス，ＰＤ２ＤＳＳシンボル２シーケンス｝＝｛２６，３７｝−＞ｉｄ＿ｇｎｓｓ：｛１６８，３３５｝；および／または｛ＰＤ２ＤＳＳシンボル１シーケンス，ＰＤ２ＤＳＳシンボル２シーケンス｝＝｛３７，２６｝−＞ｉｄ＿ｏｏｎ：｛３３６，５０４｝；および／または｛ＰＤ２ＤＳＳシンボル１シーケンス，ＰＤ２ＤＳＳシンボル２シーケンス｝＝｛３７，３７｝−＞ｉｄ＿ｇｎｓｓ：｛５０５，７７２｝。
【０１６６】
｛２６，３７｝−＞ｉｄ＿ｇｎｓｓ：｛１６８，３３５｝は、同期元がＧＮＳＳであることを示すことに加えて、ネットワークがあるときに使用される同期参照元がＧＮＳＳであることを示し得る。｛３７，３７｝−＞ｉｄ＿ｇｎｓｓ：｛５０５，７７２｝は、使用される同期参照元がＧＮＳＳであることを示すことに加えて、ネットワークがないときに使用される同期参照元がＧＮＳＳであることを示し得る。
【０１６７】
本発明のこの実施形態において、検出対象のＤ２ＤＳＳシーケンスの数は増加しないが、ＰＤ２ＤＳＳによって占有される２つのシンボルは、異なる組み合わせに基づくマッピングのために使用され、これにより、異なる同期参照元タイプを示す。
【０１６８】
任意で、ＵＥはさらに、第３同期信号のシーケンスに従って、少なくとも１つの同期元のタイプを決定し得る。
【０１６９】
可能な実装において、第３同期信号のシーケンスセットは、少なくとも２つのシーケンスサブセットを含み、少なくとも２つのシーケンスサブセットは、異なる同期元タイプを示すために使用される。
【０１７０】
本発明のこの実施形態において、第２同期信号のシーケンスは、従来技術のものと同一であり得る。第３同期信号のシーケンスセットは、少なくとも２つのサブセットに分割され、異なる同期元タイプを示す。例を以下に挙げる。
ＰＤ２ＤＳＳシーケンス２６：ＳＤ２ＤＳＳに対応する第１シーケンスサブセットは、同期元タイプがｅＮＢであることを示し、ＳＤ２ＤＳＳに対応する第２シーケンスサブセットは、同期参照元タイプがＧＮＳＳであることを示す。および／または、
ＰＤ２ＤＳＳシーケンス３７：ＳＤ２ＤＳＳに対応する第１シーケンスサブセットは、同期元タイプが同期元ＵＥであることを示し、ＳＤ２ＤＳＳに対応する第２シーケンスサブセットは、同期元タイプがＧＮＳＳであることを示す。
【０１７１】
下記の方法１および方法２は、ＳＤ２ＤＳＳシーケンスセットを２つのサブセットに分割するために使用され得る。
【０１７２】
方法１：既存の副同期シーケンス｛０，１６７｝は、２つのサブセットに分割され、２つのサブセットは、連続するＳＤ２ＤＳＳ番号を有するシーケンスであり得る（例えば、｛０，ｘ｝は第１サブセットであり、｛ｘ＋１，１６７｝は第２サブセットである）か、または、連続しないＳＤ２ＤＳＳ番号を有するシーケンスであり得る。これは、本発明のこの実施形態において限定されるものではない。２つのサブセットの構成情報は、基地局によって示され得るか、または、予め定義され得る。例を以下に挙げる。  ＰＤ２ＤＳＳシーケンス２６：同期参照元はｅＮＢであり、対応する識別子はｉｄ＿ｎｅｔであり、ＳＤ２ＤＳＳシーケンスセットは｛０，ｘ｝である。同期参照元はＧＮＳＳであり、対応する識別子はｉｄ＿ｇｎｓｓであり、ＳＤ２ＤＳＳシーケンスセットは｛ｘ＋１，１６７｝である。および／または、
ＰＤ２ＤＳＳシーケンス３７：同期参照元はＵＥであり、対応する識別子はｉｄ＿ｏｏｎであり、ＳＤ２ＤＳＳシーケンスセットは｛１６８，ｙ｝である。同期参照元はＧＮＳＳであり、対応する識別子はｉｄ＿ｇｎｓｓであり、ＳＤ２ＤＳＳシーケンスセットは｛ｙ＋１，３３５｝である。
【０１７３】
ＧＮＳＳがＳＤ２ＤＳＳシーケンスセットのサブセットに対応しているという条件で、同期元識別子セットのための別のマッピング方法がある。ここでは、すべての例を列挙しているわけではない。
【０１７４】
本発明のこの実施形態において、新しいＰＤ２ＤＳＳシーケンスが追加されず、ＳＤ２ＤＳＳシーケンスの合計数も増加しないので、レシーバによって実行される検出の複雑性は増加しない。
【０１７５】
方法２：既存のＳＤ２ＤＳＳシーケンス｛０，１６７｝は変化せず、ＳＤ２ＤＳＳシーケンスの数は増加する。例えば、拡張ＳＤ２ＤＳＳシーケンスは、｛０，３３５｝である。ＳＤ２ＤＳＳシーケンスは、既存のＤ２Ｄプロトコルのものと同一の方式で生成され、各々の長さが３１である２つのｍシーケンスから生成されことに留意すべきである。理論上、各々の長さが３１である２つのｍシーケンスは、合計で少なくとも３１×３０／２＝４６５の異なる副同期シーケンスを含み得る。従って、１６７より大きい番号を有し、既存のＬＴＥおよびＤ２Ｄシステムにおいて使用されない副同期シーケンスは、新しい同期元タイプを示すために使用され得る。例を以下に挙げる。
ＰＤ２ＤＳＳシーケンス２６：同期参照元はｅＮＢであり、対応する識別子はｉｄ＿ｎｅｔであり、ＳＤ２ＤＳＳシーケンスセットは｛０，１６７｝である。同期参照元はＧＮＳＳであり、対応する識別子はｉｄ＿ｇｎｓｓであり、ＳＤ２ＤＳＳシーケンスセットは｛１６７，３３５｝である。および／または、  ＰＤ２ＤＳＳシーケンス３７：同期参照元はＵＥであり、対応する識別子はｉｄ＿ｏｏｎであり、ＳＤ２ＤＳＳシーケンスセットは｛３３６，５０３｝である。同期参照元はＧＮＳＳであり、対応する識別子はｉｄ＿ｇｎｓｓであり、ＳＤ２ＤＳＳシーケンスセットは｛５０４，７７１｝である。
【０１７６】
拡張ＳＤ２ＤＳＳシーケンスセットについての情報は、基地局によって構成され得るか、または、予め定義され得る。
【０１７７】
本発明のこの実施形態において、新しいＰＤ２ＤＳＳシーケンスは追加されないが、利用可能なＳＤ２ＤＳＳシーケンスは、異なる同期元タイプを示すように拡張され、それにより、識別可能な同期元の数が提供される。
【０１７８】
別の可能な実装において、第３同期信号は、第３シンボルおよび第４シンボルを含み、第３シンボルによって使用されるシーケンス、または、第４シンボルによって使用されるシーケンスの複数の組み合わせは、異なる同期元タイプを示すために使用される。
【０１７９】
図４に示されるように、ＳＤ２ＤＳＳは、伝送のためにシンボル１およびシンボル２を占有する。シンボル１によって使用されるシーケンス、または、シンボル２によって使用されるシーケンスの複数の組み合わせが、異なる同期元タイプを示すために使用され得る。
例を以下に挙げる。
ＰＤ２ＤＳＳ＝２６，｛ＳＤ２ＤＳＳシンボル１シーケンス，ＳＤ２ＤＳＳシンボル２シーケンス｝＝｛ｘ，ｘ｝−＞ｉｄ＿ｎｅｔ：｛０，１６７｝、および／または、
ＰＤ２ＤＳＳ＝２６，｛ＳＤ２ＤＳＳシンボル１シーケンス，ＳＤ２ＤＳＳシンボル２シーケンス｝＝｛ｘ，ｙ｝−＞ｉｄ＿ｇｎｓｓ：｛１６８，３３５｝、および／または、
ＰＤ２ＤＳＳ＝３７，｛ＳＤ２ＤＳＳシンボル１シーケンス，ＳＤ２ＤＳＳシンボル２シーケンス｝＝｛ｙ，ｙ｝−＞ｉｄ＿ｏｏｎ：｛３３６，５０４｝；
および／または、
ＰＤ２ＤＳＳ＝３７，｛ＳＤ２ＤＳＳシンボル１シーケンス，ＳＤ２ＤＳＳシンボル２シーケンス｝＝｛ｘ，ｙ｝−＞ｉｄ＿ｇｎｓｓ：｛５０５，７７２｝
【０１８０】
シーケンスｘおよびｙは各々、ＳＤ２ＤＳＳシーケンスセット｛０，１６７｝における任意のシーケンスであり得るか、または、セット｛０，３３５｝における任意のシーケンスであり得て、シーケンスｘおよびｙに対応するＳＤ２ＤＳＳシーケンス番号は異なる。
【０１８１】
本発明のこの実施形態において、検出対象の同期信号シーケンスの数は増加しないが、第３同期信号によって占有される２つのシンボルは、異なる組み合わせに基づくマッピングのために使用され、これにより、異なる同期参照元タイプを示す。
【０１８２】
代替的に、ＵＥは、第２同期信号のシーケンスまたは第３同期信号のシーケンスの組み合わせに従って、同期元タイプを決定し得る。
【０１８３】
例えば、第１シンボルによって使用されるシーケンス、第２シンボルによって使用されるシーケンス、第３シンボルによって使用されるシーケンス、もしくは、第４シンボルによって使用されるシーケンスの複数の組み合わせは、異なる同期元タイプを示すために使用されるか、または、第２同期信号のシーケンスもしくは第３同期信号のシーケンスの異なる組み合わせは、異なる同期元タイプを示すために使用されるか、または、第２同期信号のシーケンス、もしくは、第３同期信号によって占有される２つのシンボルによって個別に使用されるシーケンスの異なる組み合わせは、異なる同期元タイプを示すために使用されるか、または、第２同期信号によって占有される２つのシンボルによって個別に使用されるシーケンス、もしくは、第３同期信号によって使用されるシーケンスの異なる組み合わせは、異なる同期元タイプを示すために使用される。
【０１８４】
すなわち、代替的に、第２同期信号および第３同期信号が各々、２つのシンボルを占有するという特徴に関連して、マッピングは、異なる組み合わせに基づいて個別に実行され得て、これにより、異なる同期参照元タイプを示す。簡潔にするために、本発明のこの実施形態において、詳細は説明しない。
【０１８５】
任意で、別の実施形態において、方法３００はさらに、ＵＥが、少なくとも１つの同期元によって送信された第１制御情報を受信する段階を備える。
【０１８６】
例えば、ＵＥは、少なくとも１つの同期元の各々によって送信された第１制御情報を受信する。
【０１８７】
制御情報は、同期元タイプの補助指示情報、同期信号が有効であるかどうかを示す指示情報、同期信号が送信されたかどうかを示す指示情報、同期信号送信サイクルの指示情報、同期信号が送信される時間‐周波数位置の指示情報、または、同期元のホップカウントの指示情報のうちの少なくとも１つの情報を含み得る。
【０１８８】
制御情報がＵＥから伝送されるとき、制御情報は、複数の方式で保持され得る。例えば、制御情報は、物理サイドリンクブロードキャストチャネル（Ｐｈｙｓｉｃａｌ  Ｓｉｄｅｌｉｎｋ  Ｂｒｏａｄｃａｓｔ  Ｃｈａｎｎｅｌ、ＰＳＢＣＨ）などの制御チャネルにおける表示フィールドを使用することによって明示的または暗黙的に示され得るか、または、ＰＳＢＣＨチャネル上の復調参照信号（Ｄｅｍｏｄｕｌａｔｉｏｎ  Ｒｅｆｅｒｅｎｃｅ  Ｓｉｇｎａｌ、ＤＭＲＳ）を使用することによって示されるピギーバックであり得るか、または、ＰＳＢＣＨパケットの巡回冗長検査（Ｃｙｃｌｉｃ  Ｒｅｄｕｎｄａｎｃｙ  Ｃｈｅｃｋ、ＣＲＣ）マスクを使用することによって暗黙的に示され得る。別の例として、制御情報は、物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）などの、ＵＥによって送信されるサービスデータのための制御チャネルを使用することによって示され得るか、または、物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）などの、ＵＥによって伝送されるサービスチャネルを使用することによって示され得る。これは、本発明において、限定されるものではない。
【０１８９】
同期元のホップカウントの指示情報は、ＵＥタイプの同期元と、ＵＥによる転送を必要とする同期参照元との間の現在のホップカウントを示すために使用される。
【０１９０】
例えば、ＵＥが有効なＧＮＳＳを検出でき、および／または、ｅＮＢによって送信され、ＧＮＳＳを同期参照元もしくは優先同期参照元として使用するようにＵＥに命令するために使用されるシグナリングを受信できるとき、ＵＥは、ＧＮＳＳを同期参照元として使用し、ＧＮＳＳと同期される。
【０１９１】
ＵＥがＧＮＳＳと直接同期された場合、ＵＥは、Ｄ２ＤＳＳ信号を受信することなく、制御情報を直接受信する。レシーバが、ＧＮＳＳを同期参照元として使用する同期元と同期された場合、レシーバは、少数のＤ２ＤＳＳのみを検出する必要があり、その後、制御情報を直接受信する。
【０１９２】
ＵＥがＧＮＳＳを検出したとき、ＵＥは、同期元として、よりスパースな方式で同期信号を送信しながら、または同期信号を送信することなく、制御情報を送信し得る。よりスパースな方式で同期信号を送信することは、同期信号サブフレームにおける、いくつかの開始サブフレームのみにおいて同期信号を送信し、後続のサブフレームにおいて送信しないこと、または、ＰＳＢＣＨ周期（例えば、４０ｍｓ）より大きい周期（８０ｍｓ、１２０ｍｓまたは１６０ｍｓなど）で同期信号を送信すること、または、同期信号を送信することなく、制御情報のみを直接送信することを含む。
【０１９３】
本発明のこの実施形態において、ＵＥがＧＮＳＳを検出するとき、ＵＥは、ＧＮＳＳを同期参照元として使用する。この場合、ＵＥは、同期信号を送信しないか、または、少数の同期信号を送信し得る。これにより、不要な信号伝送の数、および、別のＵＥによって実行される不要な同期信号検出の数を減らすことができ、その結果、電力消費が低減し、ＵＥの複雑性が低減する。
【０１９４】
任意で、段階３３０は、ＵＥが第１制御情報に従って少なくとも１つの同期元のタイプを決定する段階と、ＵＥが同期情報、第１同期信号、および少なくとも１つの同期元のタイプに従って、同期参照元を決定する段階とを有し得る。
【０１９５】
任意で、ＵＥは、第２同期信号のシーケンスおよび／または第３同期信号のシーケンス、ならびに第１制御情報に従って、少なくとも１つの同期元のタイプを決定し得る。
【０１９６】
例えば、制御情報は１ビットの指示情報であり得て、Ｆｌａｇで表される。ＰＤ２ＤＳＳ＝２６，Ｆｌａｇ＝０，｛ｉｄ＿ｎｅｔ＿ｅＮＢ｝：｛０，１６７｝は、同期参照元が好ましくはｅＮＢであることを示す。ＰＤ２ＤＳＳ＝２６，Ｆｌａｇ＝１，｛ｉｄ＿ｎｅｔ＿ＧＮＳＳ｝：｛１６８，３３５｝は、ｅＮＢが存在する場合、同期参照元が好ましくはＧＮＳＳであることを示す。ＰＤ２ＤＳＳ＝３７，Ｆｌａｇ＝０，｛ｉｄ＿ｏｏｎ＿ｎＧＮＳＳ｝：｛３３６，５０４｝は、ｅＮＢが存在しない場合、同期参照元が好ましくはＧＮＳＳであることを示す。ＰＤ２ＤＳＳ＝３７，Ｆｌａｇ＝１，｛ｉｄ＿ｏｏｎ＿ｗＧＮＳＳ｝：｛５０５，７７２｝は、ｅＮＢが存在しない場合、同期参照元が好ましくはＵＥであることを示す。
【０１９７】
具体的には、制御情報は、ＰＳＢＣＨチャネルにおける表示フィールドに保持され得るか、または、ＰＳＢＣＨチャネルにおける別のフィールド、もしくは、ＰＳＢＣＨチャネル上のＤＭＲＳもしくはＣＲＣを使用することによって暗黙的に示され得る。これは、本発明のこの実施形態において限定されるものではない。
【０１９８】
本発明のこの実施形態において、Ｄ２ＤＳＳシーケンスおよび信号を送信するための方法を変更する必要はなく、Ｄ２ＤＳＳシーケンスおよび信号は、同期元タイプを示すために制御情報と共に使用される。
【０１９９】
ＵＥが、段階３３０において決定された同期参照元に従って、同期信号および／または制御情報を送信した後、新しい同期元が検出された場合、新しい同期元の優先度は、同期参照元の優先度より高く、ＵＥは、新しい同期元を新しい同期参照元として使用して、新しい同期信号および／または新しい制御情報を送信することに留意すべきである。例えば、図２ＢにおけるＵＥ７は、比較的隔絶されたＵＥである。ＵＥ７が、ＵＥ４によって送信された同期情報を受信できる場合、または、後にＧＮＳＳを検出できる場合、ＵＥ７は、ＵＥ４またはＧＮＳＳと同期され得る。
【０２００】
任意で、別の実施形態において、方法３００はさらに、ＵＥが同期参照元に従って第２同期信号および／または第２制御情報を送信する段階であって、第２同期信号および／または第２制御情報は、同期参照元のタイプを示すために使用される、段階を備え得る。
【０２０１】
この場合、ＵＥは、同期信号および／または制御情報を外へ送信するために、同期元として使用され得る。
【０２０２】
第２同期信号および／または第２制御情報が同期参照元のタイプを示す具体的な方式については、第１同期信号および／または第１制御情報が同期参照元を示す上記の方法を参照してよいことを理解すべきである。繰り返しを避けるために、詳細はここでは再度説明しない。
【０２０３】
すべてのＵＥが同期元になる必要はないこと、および、特定の条件が満たされたときのみ、ＵＥが自発的に同期元となることに留意すべきである。例えば、ＵＥは、同期元が以下のうちの少なくとも１つを満たしていることを検出する。
【０２０４】
ＵＥによって検出された別の同期元の信号品質が、予め定義された閾値を満たさない。
または、ＵＥによって検出された別の同期元の信号品質が、予め定義された閾値を満たすが、別の同期元からのホップカウントが、予め定義された閾値より大きい。
【０２０５】
この場合、ＵＥは同期元になり、同期信号および／または制御情報を送信する。
【０２０６】
同期情報はさらに、同期信号によって使用される同期シーケンスの構成情報、同期信号および／もしくは制御情報の伝送周波数領域位置情報、同期信号および／もしくは制御情報の伝送時間領域位置情報、または、同期信号および／もしくは制御情報の伝送電力情報のうちの少なくとも１つの情報を含み得る。
【０２０７】
具体的には、ＵＥは、同期情報に従って、同期信号および／または制御情報を送信する。
【０２０８】
任意で、別の実施形態において、方法３００はさらに、ＵＥが、同期参照元のタイミング基準と、別のリンクにおける同期参照元のタイミング基準との間のタイミングオフセットを決定する段階と、ＵＥが、同期参照元のタイミング基準およびタイミングオフセットに従って通信を実行する段階とを備え得る。
【０２０９】
図６に示されるように、デバイス間リンクおよびセルラーリンクの両方が存在するとき、ＧＮＳＳが存在するので、デバイス間タイミングおよび同期基準は、ＧＮＳＳを統一的な同期元として使用し得て、ＵＴＣ時間を統一的な時間基準として使用し得る。ｅＮＢ間、特に非同期ｅＮＢ間のタイミング基準は当然、デバイス間タイミング基準と異なる。
【０２１０】
直接的な問題は以下の通りである。図７に示されるように、セルラーリンクのシステムフレーム番号の開始時間位置は、デバイス間リンクのシステムフレーム番号の開始時間位置と異なる。そのような違いにより、基地局のスケジューリングシグナリングとデバイス間リンクとの間のマッピングにおいて理解の不一致が生じる。図７に示されるように、セルラーリンクタイミングおよびデバイス間リンクタイミングは、完全に非同期なので、基地局によって構成されているデバイス間伝送パラメータ間の対応関係は、一意でないことがあり得る。
【０２１１】
従って、本発明のこの実施形態において、ＵＥは、同期参照元のタイミング基準と、別のリンクにおける同期参照元のタイミング基準との間のタイミングオフセットを決定し、同期参照元のタイミング基準およびタイミングオフセットに従って通信を実行し、これにより、Ｄ２Ｄリンクおよびセルラーリンクが存在するときに２つのリンクの間のタイミング基準が異なるという問題を解決する。
【０２１２】
任意で、ＵＥは、基地局の指示に従って、同期参照元のタイミング基準と、別のリンクにおける同期参照元のタイミング基準との間のタイミングオフセットを決定し得る。
【０２１３】
具体的には、ＵＥが、同期参照元のタイミング基準と、別のリンクにおける同期参照元のタイミング基準との間のタイミングオフセットを決定する段階は、ＵＥが、基地局によって送信されたタイミングオフセット指示情報を受信する段階であって、タイミングオフセット指示情報は、タイミングオフセットを示すために使用される、段階と、ＵＥが、タイミングオフセット指示情報に従って、タイミングオフセットを決定する段階とを有する。
【０２１４】
タイミングオフセット指示情報は、同期参照元のタイミング基準と、別のリンクにおける同期参照元のタイミング基準との間のオフセットを含み得る。
【０２１５】
例えば、基地局が、シグナリングを使用することによって、基地局によって処理されるＵＥに、ローカルセルおよび隣接セルにおけるセルラーリンクおよびデバイス間リンクの間のタイミングオフセットを示すとき、指示情報は、｛セル識別子ＩＤ、セルラーリンクとデバイス間リンクとの間のタイミングオフセット｝または｛セル識別子ＩＤ、セルラーリンクと予め定義されたタイミング基準との間のオフセット｝を含む。
【０２１６】
予め定義されたタイミング基準は、ＵＴＣタイミングであり得るか、または、予め定義されたＵＴＣタイミングに基づく、デバイス間リンクのシステムフレーム番号の開始位置、または、示すことができる最大のフレームの開始位置であり得る。システムフレーム、および、示すことができる最大のフレームの長さは、両方とも予め定義される。例えば、ＬＴＥにおいて、システムフレーム番号の長さは、１０ｍｓであり、示すことができる最大のフレームの長さは、１０２４無線フレーム、すなわち、１０．２４ｓである。
【０２１７】
最初に、デバイス間リンク上で、ＵＴＣ時間における、デバイス間リンクの無線フレーム番号の開始時間、例えば、デバイス間リンクの無線フレーム０の開始時間を予め定義する必要がある。
Ｔｓｔａｒｔ＝Ｍｏｄ（ｔＵＴＣ＋ｔ１，Ｎ）
ここで、Ｔｓｔａｒｔはデバイス間リンクの無線フレーム０の開始時間であり、ｔＵＴＣは現在のＵＴＣ時間であり、ｔ１はオフセットである。上記のパラメータにおいて、Ｎは予め定義された定数である。Ｎが１０２４であるとき、すべての時間単位は１０ｍｓである。または、Ｎが１０２４０であるとき、すべての時間単位は１ｍｓである。Ｍｏｄは剰余演算子である。
【０２１８】
基地局によってデバイスへ送信されるシグナリングおよび／または構成情報は、基地局のシステムフレーム番号の開始時間ＴｅＮＢに基づいて構成されている。基地局は、予め定義されたＴｓｔａｒｔの計算ルールを用いて、基地局のタイミングに従って、２つのリンク間のタイミングオフセット（ｏｆｆｓｅｔ）をＵＥのために構成し得る。オフセットがＵＥのために構成された後、ＵＥは、基地局によって構成されている、デバイス間リンクの伝送情報をＵＥの送受信パラメータにマッピングし得る。例えば、オフセットが１００ｍｓである場合、受信された、ｅＮＢによって示される、Ｄ２Ｄリンクの構成情報は、以下の通りである。サブフレーム３においてデバイス間データが送信される場合、ＵＥは、それに応じて、ＵＥのリンクの時間、すなわち、デバイス間リンクのサブフレーム１０３において、デバイス間データを送信する。
【０２１９】
任意で、ＵＥは、予め定義されたルールに従って、同期参照元のタイミング基準と、別のリンクにおける同期参照元のタイミング基準との間のタイミングオフセットを決定し得る。
【０２２０】
具体的には、ＵＥが、同期参照元のタイミング基準と、別のリンクにおける同期参照元のタイミング基準との間のタイミングオフセットを決定する段階は、ＵＥが、別のリンクにおける同期参照元のタイミング基準を取得する段階と、ＵＥが、同期参照元のタイミング基準と、別のリンクにおける同期参照元のタイミング基準とに従って、タイミングオフセットを決定する段階とを有する。
【０２２１】
例えば、ＵＥは、基地局と同期されるプロセスにおいて、隣接セルのタイミングリストを取得し、次に、ＵＥがＧＮＳＳと同期されている場合、ＵＥは、予め定義されたＧＮＳＳに基づくタイミング基準と、隣接セルの検出されたタイミングとに従って、各セルにおけるＵＥによって使用されるタイミングオフセットを計算する。
【０２２２】
本発明のこの実施形態において、デバイス間リンクの無線フレーム０の開始時間Ｔｓｔａｒｔを予め定義する必要がある。加えて、ＴｓｔａｒｔとＴｅＮＢとの間のオフセットを決定するためのルールを定義する必要がある。例えば、オフセットは、以下のルールに従って決定される。
ｏｆｆｓｅｔ＝Ｍｏｄ（Ｔｓｔａｒｔ−ＴｅＮＢ，Ｎ）
ここで、Ｎは予め定義された定数である。Ｎが１０２４であるとき、すべての時間単位は１０ｍｓであり、または、Ｎが１０２４０であるとき、すべての時間単位は１ｍｓである。Ｍｏｄは剰余演算子である。
【０２２３】
結論として、ＵＥは、上記の２つの方式で、２つのリンクの間のタイミングオフセットを決定し得て、これにより、ＵＥの送受信パラメータのシグナリングを取得する。
【０２２４】
図８は、本発明の実施形態に係る同期方法８００の概略的フローチャートである。方法８００は、方法３００に対応し、ここでは対応する内容が適宜省略されている。図８に示されるように、方法８００は以下の内容を備える。
【０２２５】
８１０：基地局が同期情報を決定し、同期情報は、同期元の選択パラメータ情報、同期元指示情報、または同期元の優先度情報のうちの少なくとも１つの情報を含む。
【０２２６】
８２０：基地局が同期情報をＵＥへ送信する。
【０２２７】
ＵＥは、同期情報を受信後、同期情報に従って同期参照元を決定し得る。
【０２２８】
本発明のこの実施形態において、同期情報がユーザ機器へ送信され、その結果、ユーザ機器は、同期情報に従って同期参照元を決定できる。このようにして同期を実装でき、最適な通信性能が保証される。
【０２２９】
任意で、別の実施形態において、同期方法８００はさらに、基地局が制御情報をユーザ機器へ送信する段階であって、制御情報は同期参照元のタイプおよび／または識別子を決定するために使用される、段階を備える。
【０２３０】
任意で、別の実施形態において、同期方法８００はさらに、基地局が制御情報をユーザ機器へ送信する段階であって、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または同期元のホップカウントの指示情報のうちの少なくとも１つの情報を含む、段階をさらに備える。
【０２３１】
同期元のホップカウントの指示情報は、同期元の最大ホップカウントを示すために使用される。ＵＥは、最大ホップカウント内で同期信号を転送し得る。
【０２３２】
任意で、段階８１０は具体的には、基地局が少なくとも１つの同期元についての情報を受信する段階であって、情報はユーザ機器によって送信される、段階と、基地局が、少なくとも１つの同期元についての情報に従って同期情報を決定する段階とを有する。
【０２３３】
任意で、別の実施形態において、同期方法８００はさらに、基地局がタイミングオフセット指示情報をユーザ機器へ送信する段階であって、タイミングオフセット指示情報は、ユーザ機器の同期参照元のタイミング基準と、別のリンクにおける同期参照元のタイミング基準との間のタイミングオフセットを示すために使用される、段階を備える。
【０２３４】
本発明のこの実施形態において、同期情報はユーザ機器へ送信され、その結果、ユーザ機器は、同期情報に従って、同期参照元を決定できる。このようにして、同期を実装でき、最適な通信性能が保証される。
【０２３５】
図９は、本発明の別の実施形態に係る同期方法９００の概略的フローチャートを示す。方法９００は、方法３００に対応し、ここで、対応する内容は適宜省略される。図９に示されるように、方法９００は以下の内容を備える。
【０２３６】
９１０：ＵＥが同期参照元を決定し、同期参照元のタイプは、ＧＮＳＳ、基地局またはＵＥのうちのいずれか１つである。
【０２３７】
同期参照元はＧＮＳＳ、基地局もしくは別のＵＥであり得るか、または、当該ＵＥであり得ることを理解すべきである。
【０２３８】
９２０：ＵＥが同期参照元に従って同期信号を送信し、同期信号は、第１同期信号および／または第２同期信号を含み、第１同期信号のシーケンスおよび／または第２同期信号のシーケンスは、同期参照元のタイプを示すために使用される。
【０２３９】
この場合、ＵＥは同期元として使用され得る。
【０２４０】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元を決定できる。このようにして、同期を実装でき、最適な通信性能が保証される。
【０２４１】
具体的には、第１同期信号のシーケンスおよび／または第２同期信号のシーケンスが同期参照元のタイプを示すために使用されることは、第１同期信号の少なくとも１つのシーケンスは、同期参照元のタイプを示すために使用されること、または、第１同期信号は、第１シンボルおよび第２シンボルを占有し、第１シンボルによって使用されるシーケンスもしくは第２シンボルによって使用されるシーケンスの少なくとも１つの組み合わせは、同期参照元のタイプを示すために使用されること、または、第２同期信号のシーケンスセットは、少なくとも２つのシーケンスサブセットを含み、少なくとも２つのシーケンスサブセットのうちの少なくとも１つは、同期参照元のタイプを示すために使用されること、または、第２同期信号は、第３シンボルおよび第４シンボルを含み、第３シンボルによって使用されるシーケンスもしくは第４シンボルによって使用されるシーケンスの少なくとも１つの組み合わせは、同期参照元のタイプを示すために使用されること、または、第１同期信号は、第１シンボルおよび第２シンボルを占有し、第２同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの少なくとも１つの組み合わせが、同期参照元のタイプを示すために使用されることを含む。
【０２４２】
任意で、別の実施形態において、方法９００は、ユーザ機器が制御情報を送信する段階であって、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または同期元のホップカウントの指示情報のうちの少なくとも１つの情報を含む、段階をさらに備える。
【０２４３】
同期元のホップカウントの指示情報は、ユーザ機器から同期参照元への現在のホップカウントを示すために使用される。
【０２４４】
任意で、第１同期信号のシーケンスおよび／または第２同期信号のシーケンス、ならびに、制御情報は、同期参照元のタイプを示すために使用される。
【０２４５】
本発明のこの実施形態において、段階９１０においてＵＥが同期参照元を決定するための方法については、方法３００においてＵＥが同期参照元を決定するための方法を参照してよいことを理解すべきである。繰り返しを避けるために、詳細はここでは再度説明しない。
【０２４６】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元を決定できる。このようにして、同期を実装でき、最適な通信性能が保証される。
【０２４７】
以下では、図１０から図１５を参照しながら、本発明の実施形態に係るユーザ機器および基地局について詳細に説明する。
【０２４８】
図１０は、本発明の実施形態に係るユーザ機器１０００の概略的ブロック図である。図１０に示されているように、ユーザ機器１０００は、取得ユニット１０１０、トランシーバユニット１０２０および決定ユニット１０３０を備える。
【０２４９】
取得ユニット１０１０は、同期情報を取得するように構成され、同期情報は、同期元の選択パラメータ情報、同期元指示情報、または同期元の優先度情報のうちの少なくとも１つの情報を含む。
【０２５０】
トランシーバユニット１０２０は、少なくとも１つの同期元によって送信された第１同期信号を受信するように構成されている。
【０２５１】
決定ユニット１０３０は、取得ユニット１０１０によって取得された同期情報、および、トランシーバユニット１０２０によって受信された第１同期信号に従って同期参照元を決定するように構成されている。
【０２５２】
本発明のこの実施形態において、同期情報が取得され、同期参照元が、同期情報、および、少なくとも１つの同期元によって送信された同期信号に従って決定され、その結果、同期を実装できる。
【０２５３】
任意で、決定ユニット１０３０は具体的には、第１同期信号に従って、少なくとも１つの同期元から、選択パラメータを満たす同期元を同期参照元として選択するように構成されている。
【０２５４】
任意で、同期元指示情報は、第１同期元を示すために使用され、決定ユニット１０３０は、具体的には、第１同期信号に従って、第１同期元を同期参照元として選択するように構成されている。
【０２５５】
任意で、決定ユニット１０３０は、具体的には、優先度情報および第１同期信号に従って、少なくとも１つの同期元から、最高優先度を有する同期元を同期参照元として選択するように構成されている。
【０２５６】
任意で、同期元指示情報は、第１同期元を示すために使用され、決定ユニット１０３０は、具体的には、第１同期信号に従って、少なくとも１つの同期元が第１同期元を含むと決定し、および、第１同期元が予め定義された条件を満たす場合、第１同期元を同期参照元として選択し、または、第１同期元の信号が予め定義された条件を満たさない場合、優先度情報に従って、第１同期元を除く少なくとも１つの同期元から、最高優先度を有する第２同期元を同期参照元として選択するように構成されている。
【０２５７】
任意で、第１同期信号は、第２同期信号および／または第３同期信号を含み、決定ユニット１０３０は、具体的には、第２同期信号のシーケンスおよび／または第３同期信号のシーケンスに従って、少なくとも１つの同期元のタイプを決定し、ならびに、同期情報および少なくとも１つの同期元のタイプに従って、同期参照元を決定するように構成されている。
【０２５８】
第２同期信号の第１シーケンス、第２シーケンスおよび第３シーケンスは、異なる同期元タイプを示すために使用され、第１シーケンス、第２シーケンスおよび第３シーケンスは互いに異なり、または、第２同期信号は、第１シンボルおよび第２シンボルを占有し、第１シンボルによって使用されるシーケンスもしくは第２シンボルによって使用されるシーケンスの複数の組み合わせは、異なる同期元タイプを示すために使用され、または、第３同期信号のシーケンスセットは、複数のシーケンスサブセットを含み、複数のシーケンスサブセットは、異なる同期元タイプを示すために使用され、または、第３同期信号は、第３シンボルおよび第４シンボルを占有し、第３シンボルによって使用されるシーケンスもしくは第４シンボルによって使用されるシーケンスの複数の組み合わせは、異なる同期元タイプを示すために使用され、または、第２同期信号は、第１シンボルおよび第２シンボルを占有し、第３同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの複数の組み合わせは、異なる同期元タイプを示すために使用される。
【０２５９】
任意で、トランシーバユニット１０２０はさらに、少なくとも１つの同期元によって送信された第１制御情報を受信するように構成されている。
【０２６０】
それに応じて、決定ユニット１０３０は具体的には、第１制御情報に従って少なくとも１つの同期元のタイプを決定するように、ならびに、同期情報、第１同期信号、および、少なくとも１つの同期元のタイプに従って同期参照元を決定するように構成されている。
【０２６１】
任意で、トランシーバユニット１０２０はさらに、少なくとも１つの同期元によって送信された第１制御情報を受信するように構成され、第１制御情報は、同期元タイプの補助指示情報、同期信号送信サイクルの指示情報、同期信号が送信されたかどうかを示す指示情報、同期信号が有効かどうかを示す指示情報、同期信号が送信された時間‐周波数位置の指示情報、または、同期元のホップカウントの指示情報のうちの少なくとも１つの情報を含む。
【０２６２】
任意で、第１同期信号は、第２同期信号および／または第３同期信号を含み、決定ユニット１０３０は、具体的には、第２同期信号のシーケンスおよび／または第３同期信号のシーケンス、ならびに、第１制御情報に従って、少なくとも１つの同期元のタイプを決定するように構成されている。
【０２６３】
任意で、取得ユニット１０１０は、具体的には、基地局によって送信された同期情報を受信するように構成されている。
【０２６４】
任意で、トランシーバユニット１０２０はさらに、取得ユニット１０１０が同期情報を受信する前に、少なくとも１つの同期元についての情報を基地局へ送信することにより、基地局が、少なくとも１つの同期元についての情報に従って同期情報を決定するように構成されている。
【０２６５】
任意で、トランシーバユニット１０２０はさらに、同期参照元に従って、第４同期信号および／または第２制御情報を送信するように構成され、第４同期信号および／または第２制御情報は、同期参照元のタイプを示すために使用される。
【０２６６】
任意で、決定ユニット１０３０はさらに、同期参照元のタイミング基準と、別のリンクにおける同期参照元のタイミング基準との間のタイミングオフセットを決定するように構成され、トランシーバユニット１０２０はさらに、同期参照元のタイミング基準、および、決定ユニット１０３０によって決定されたタイミングオフセットに従って、通信を実行するように構成されている。
【０２６７】
任意で、トランシーバユニット１０２０はさらに、基地局によって送信されたタイミングオフセット指示情報を受信するように構成され、タイミングオフセット指示は、タイミングオフセットを示すために使用され、決定ユニット１０３０は、具体的には、トランシーバユニットによって受信されたタイミングオフセット指示情報に従って、タイミングオフセットを決定するように構成されている。
【０２６８】
任意で、取得ユニット１０１０はさらに、別のリンクにおける同期参照元のタイミング基準を取得するように構成され、決定ユニット１０３０は、具体的には、同期参照元のタイミング基準、および、別のリンクにおける同期参照元のタイミング基準に従って、タイミングオフセットを決定するように構成されている。
【０２６９】
本発明のこの実施形態に係るユーザ機器１０００は、本発明の実施形態に係る同期方法３００におけるユーザ機器に対応し得ることを理解すべきである。加えて、ユーザ機器１０００におけるユニット／モジュールの上記および他の操作および／または機能は、図３における方法３００の対応する手順を実装することを意図している。簡潔にするために、詳細はここでは再度説明しない。
【０２７０】
本発明のこの実施形態において、同期情報が取得され、同期参照元が、同期情報、および、少なくとも１つの同期元によって送信された同期信号に従って決定され、その結果、同期を実装できる。
【０２７１】
図１１は、本発明の別の実施形態に係る基地局１１００の概略的ブロック図である。図１１に示されるように、基地局１１００は、決定ユニット１１１０および送信ユニット１１２０を備える。
【０２７２】
決定ユニット１１１０は、同期情報をユーザ機器へ送信するように構成され、同期情報は、同期元の選択パラメータ情報、同期元指示情報、または同期元の優先度情報のうちの少なくとも１つの情報を含み、その結果、ユーザ機器は、同期情報に従って同期参照元を決定する。
【０２７３】
送信ユニット１１２０は、同期情報をユーザ機器へ送信するように構成されている。
【０２７４】
本発明のこの実施形態において、同期情報はユーザ機器へ送信され、その結果、ユーザ機器は、同期情報に従って同期参照元を決定できる。このようにして、同期を実装でき、最適な通信性能が保証される。
【０２７５】
任意で、送信ユニット１１２０はさらに、制御情報をユーザ機器へ送信するように構成され、制御情報は、同期参照元のタイプおよび／または識別子を示すために使用される。
【０２７６】
任意で、送信ユニット１１２０はさらに、制御情報をユーザ機器へ送信するように構成され、制御情報は、同期元タイプの補助指示情報、同期信号送信サイクルの指示情報、同期信号が有効かどうかを示す指示情報、同期信号が送信されたかどうかを示す指示、同期信号が送信された時間‐周波数位置の指示情報、または、同期元のホップカウントの指示情報のうちの少なくとも１つの情報を含み得る。
【０２７７】
任意で、基地局１１００はさらに、受信ユニット１１３０を備え得る。
【０２７８】
受信ユニット１１３０は、送信ユニット１１２０が同期情報をユーザ機器へ送信する前に、少なくとも１つの同期元についての情報を受信するように構成され、情報は、ユーザ機器によって送信される。
【０２７９】
決定ユニット１１１０は、具体的には、受信ユニット１１３０によって受信された少なくとも１つの同期元についての情報に従って同期情報を決定するように構成されている。
【０２８０】
任意で、送信ユニット１１２０はさらに、タイミングオフセット指示情報をユーザ機器へ送信するように構成され、タイミングオフセット指示情報は、ユーザ機器の同期参照元のタイミング基準と、別のリンクにおける同期参照元のタイミング基準との間のタイミングオフセットを示すために使用される。
【０２８１】
本発明のこの実施形態に係る基地局１１００は、本発明の実施形態に係る同期方法８００における基地局に対応し得ることを理解すべきである。加えて、基地局１１００におけるユニット／モジュールの上記および他の操作および／または機能は、図８における方法８００の対応する手順を実装することを意図している。簡潔にするために、詳細はここでは再度説明しない。
【０２８２】
本発明のこの実施形態において、同期情報がユーザ機器へ送信され、その結果、ユーザ機器は、同期情報に従って同期参照元を決定できる。このようにして同期を実装でき、最適な通信性能が保証される。
【０２８３】
図１２は、本発明の別の実施形態に係るユーザ機器１２００の概略的ブロック図である。図１２に示されるように、ユーザ機器１２００は、決定ユニット１２１０よび送信ユニット１２２０を備える。
【０２８４】
決定ユニット１２１０は、同期参照元を決定するように構成され、同期参照元のタイプは、ＧＮＳＳ、基地局またはユーザ機器のうちのいずれか１つである。
【０２８５】
送信ユニット１２２０は、同期参照元に従って同期信号を送信するように構成され、同期信号は、第１同期信号および／または第２同期信号を含み、第１同期信号のシーケンスおよび／または第２同期信号のシーケンスは、同期参照元のタイプを示すために使用される。
【０２８６】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元を決定できる。このようにして、同期を実装でき、最適な通信性能が保証される。
【０２８７】
第１同期信号の少なくとも１つのシーケンスは、同期参照元のタイプを示すために使用され、または、第１同期信号は、第１シンボルおよび第２シンボルを占有し、第１シンボルによって使用されるシーケンスもしくは第２シンボルによって使用されるシーケンスの少なくとも１つの組み合わせは、同期参照元のタイプを示すために使用され、または、第２同期信号のシーケンスセットは、少なくとも２つのシーケンスサブセットを含み、少なくとも２つのシーケンスサブセットのうちの少なくとも１つは、同期参照元のタイプを示すために使用され、または、第２同期信号は、第３シンボルおよび第４シンボルを含み、第３シンボルによって使用されるシーケンスもしくは第４シンボルによって使用されるシーケンスの少なくとも１つの組み合わせは、同期参照元のタイプを示すために使用され、または、第１同期信号は、第１シンボルおよび第２シンボルを占有し、第２同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの少なくとも１つの組み合わせが、同期参照元のタイプを示すために使用される。
【０２８８】
任意で、送信ユニット１２２０はさらに、制御情報を送信するように構成され、第１同期信号のシーケンスおよび／または第２同期信号のシーケンス、ならびに制御情報は、同期参照元のタイプを示すために使用される。
【０２８９】
任意で、送信ユニット１２２０はさらに、制御情報を送信するように構成され、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む。
【０２９０】
本発明のこの実施形態に係るユーザ機器１２００は、本発明の実施形態に係る同期方法９００におけるユーザ機器に対応し得ることを理解すべきである。加えて、ユーザ機器１２００におけるユニット／モジュールの上記および他の操作および／または機能は、図９における方法９００の対応する手順を実装することを意図している。簡潔にするために、詳細はここでは再度説明しない。
【０２９１】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元のタイプを決定できる。このようにして、同期を実装でき、最適な通信性能が保証される。
【０２９２】
図１３は、本発明の別の実施形態に係るユーザ機器１３００の概略的ブロック図である。図１３に示されるように、ユーザ機器１３００は、プロセッサ１３１０、メモリ１３２０、バスシステム１３３０およびトランシーバ１３４０を備える。プロセッサ１３１０、メモリ１３２０およびトランシーバ１３４０は、バスシステム１３３０を使用することによって接続され、メモリ１３２０は、命令を記憶するように構成され、プロセッサ１３１０は、メモリ１３２０に記憶された命令を実行するように構成されている。
【０２９３】
プロセッサ１３１０は、同期情報を取得するように構成され、同期情報は、同期元の選択パラメータ情報、同期元指示情報、または同期元の優先度情報のうちの少なくとも１つの情報を含む。
【０２９４】
トランシーバ１３４０は、少なくとも１つの同期元によって送信された第１同期信号を受信するように構成されている。
【０２９５】
プロセッサ１３１０はさらに、同期情報および第１同期信号に従って同期参照元を決定するように構成されている。
【０２９６】
本発明のこの実施形態において、同期情報が取得され、同期参照元が、同期情報、および、少なくとも１つの同期元によって送信された同期信号に従って決定され、その結果、同期を実装できる。
【０２９７】
本発明のこの実施形態において、プロセッサ１３１０は、中央処理装置（Ｃｅｎｔｒａｌ  Ｐｒｏｃｅｓｓｉｎｇ  Ｕｎｉｔ、ＣＰＵ）であり得るか、または、プロセッサ１３１０は、別の汎用プロセッサ、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、または、別のプログラマブルロジックデバイス、個別ゲートもしくはトランジスタロジックデバイス、または個別ハードウェアコンポーネントなどであり得ることを理解すべきである。汎用プロセッサはマイクロプロセッサであり得るか、または、プロセッサは任意の従来のプロセッサなどであり得る。
【０２９８】
メモリ１３２０は、リードオンリメモリおよびランダムアクセスメモリを含んでよく、命令およびデータをプロセッサ１３１０に提供する。メモリ１３２０の一部はさらに、不揮発性ランダムアクセスメモリを含んでよい。例えば、メモリ１３２０はさらに、デバイスタイプ情報を記憶してよい。
【０２９９】
データバスに加えて、バスシステム１３３０は、電力バス、制御バス、およびステータス信号バスなどを含み得る。しかしながら、明確な説明のために、図における様々なタイプのバスをバスシステム１３３０として示す。
【０３００】
実装過程において、上記の方法における段階は、プロセッサ１３１０におけるハードウェア論理集積回路を使用することによって、または、ソフトウェアの形態の命令を使用することによって実装できる。本発明の実施形態に関連して開示される方法における段階は、ハードウェアプロセッサによって直接実行され得るか、または、プロセッサにおけるハードウェアおよびソフトウェアモジュールの組み合わせを使用することによって実行され得る。ソフトウェアモジュールは、ランダムアクセスメモリ、フラッシュメモリ、リードオンリメモリ、プログラマブルリードオンリメモリ、電気的消去可能プログラマブルメモリまたはレジスタなどの、当技術分野における成熟した記憶媒体に位置し得る。記憶媒体は、メモリ１３２０に位置し、プロセッサ１３１０は、メモリ１３２０から情報を読み取り、プロセッサにおけるハードウェアと組み合わせて、上記の方法における段階を完了する。繰り返しを避けるために、詳細はここでは再度説明しない。
【０３０１】
任意で、トランシーバ１３４０はさらに、基地局によって送信された同期情報を受信するように構成されている。それに応じて、プロセッサ１３１０は、トランシーバ１３４０から同期情報を取得する。
【０３０２】
任意で、プロセッサ１３１０は具体的には、第１同期信号に従って、少なくとも１つの同期元から、選択パラメータを満たす同期元を同期参照元として選択するように構成されている。
【０３０３】
任意で、同期元指示情報は、第１同期元を示すために使用され、プロセッサ１３１０は、具体的には、第１同期信号に従って、第１同期元を同期参照元として選択するように構成されている。
【０３０４】
任意で、プロセッサ１３１０は、具体的には、優先度情報および第１同期信号に従って、少なくとも１つの同期元から、最高優先度を有する同期元を同期参照元として選択するように構成されている。
【０３０５】
任意で、同期元指示情報は、第１同期元を示すために使用される。
【０３０６】
それに応じて、プロセッサ１３１０は、具体的には、第１同期信号に従って、少なくとも１つの同期元が第１同期元を含むと決定し、および、第１同期元が予め定義された条件を満たす場合、第１同期元を同期参照元として選択し、または、第１同期元の信号が予め定義された条件を満たさない場合、優先度情報に従って、第１同期元を除く少なくとも１つの同期元から、最高優先度を有する第２同期元を同期参照元として選択するように構成されている。
【０３０７】
任意で、第１同期信号は、第２同期信号および／または第３同期信号を含み、プロセッサ１３１０は、具体的には、第２同期信号のシーケンスおよび／または第３同期信号のシーケンスに従って、少なくとも１つの同期元のタイプを決定し、ならびに、同期情報および少なくとも１つの同期元のタイプに従って、同期参照元を選択するように構成されている。
【０３０８】
第２同期信号の第１シーケンス、第２シーケンスおよび第３シーケンスは、異なる同期元タイプを示すために使用され、第１シーケンス、第２シーケンスおよび第３シーケンスは互いに異なり、または、第２同期信号は、第１シンボルおよび第２シンボルを占有し、第１シンボルによって使用されるシーケンスもしくは第２シンボルによって使用されるシーケンスの複数の組み合わせは、異なる同期元タイプを示すために使用され、または、第３同期信号のシーケンスセットは、複数のシーケンスサブセットを含み、複数のシーケンスサブセットは、異なる同期元タイプを示すために使用され、または、第３同期信号は、第３シンボルおよび第４シンボルを占有し、第３シンボルによって使用されるシーケンスもしくは第４シンボルによって使用されるシーケンスの複数の組み合わせは、異なる同期元タイプを示すために使用され、または、第２同期信号は、第１シンボルおよび第２シンボルを占有し、第３同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの複数の組み合わせは、異なる同期元タイプを示すために使用される。
【０３０９】
任意で、トランシーバユニット１３４０はさらに、少なくとも１つの同期元によって送信された第１制御情報を受信するように構成されている。
【０３１０】
それに応じて、プロセッサ１３１０は具体的には、第１制御情報に従って少なくとも１つの同期元のタイプを決定するように、ならびに、同期情報、第１同期信号、および、少なくとも１つの同期元のタイプに従って同期参照元を決定するように構成されている。
【０３１１】
任意で、トランシーバ１３４０はさらに、少なくとも１つの同期元によって送信された第１制御情報を受信するように構成され、第１制御情報は、同期元タイプの補助指示情報、同期信号送信サイクルの指示情報、同期信号が送信されたかどうかを示す指示情報、同期信号が有効かどうかを示す指示情報、同期信号が送信された時間‐周波数位置の指示情報、または、同期元のホップカウントの指示情報のうちの少なくとも１つの情報を含む。
【０３１２】
任意で、第１同期信号は、第２同期信号および／または第３同期信号を含み、プロセッサ１３１０は、具体的には、第２同期信号のシーケンスおよび／または第３同期信号のシーケンス、ならびに、第１制御情報に従って、少なくとも１つの同期元のタイプを決定するように構成されている。
【０３１３】
任意で、トランシーバ１３４０はさらに、同期情報を受信する前に、少なくとも１つの同期元についての情報を基地局へ送信することにより、基地局が、少なくとも１つの同期元についての情報に従って同期情報を決定するように構成されている。
【０３１４】
任意で、トランシーバ１３４０はさらに、同期参照元に従って、第４同期信号および／または第２制御情報を送信するように構成され、第４同期信号および／または第２制御情報は、同期参照元のタイプを示すために使用される。
【０３１５】
任意で、プロセッサ１３１０はさらに、同期参照元のタイミング基準と、別のリンクにおける同期参照元のタイミング基準との間のタイミングオフセットを決定するように構成され、トランシーバ１３４０はさらに、同期参照元のタイミング基準、および、プロセッサ１３１０によって決定されたタイミングオフセットに従って、通信を実行するように構成されている。
【０３１６】
任意で、トランシーバ１３４０はさらに、基地局によって送信されたタイミングオフセット指示情報を受信するように構成され、タイミングオフセット指示は、タイミングオフセットを示すために使用され、プロセッサ１３１０は、具体的には、トランシーバ１３４０によって受信されたタイミングオフセット指示情報に従って、タイミングオフセットを決定するように構成されている。
【０３１７】
任意で、プロセッサ１３１０はさらに、別のリンクにおける同期参照元のタイミング基準を取得するように構成され、プロセッサ１３１０は、具体的には、同期参照元のタイミング基準、および、別のリンクにおける同期参照元のタイミング基準に従って、タイミングオフセットを決定するように構成されている。
【０３１８】
本発明のこの実施形態に係るユーザ機器１３００は、本発明の実施形態に係る同期方法３００におけるユーザ機器、および、本発明の実施形態に係るユーザ機器１０００に対応し得ることを理解すべきである。加えて、ユーザ機器１３００におけるユニット／モジュールの上記および他の操作および／または機能は、図３における方法３００の対応する手順を実装することを意図している。簡潔にするために、詳細はここでは再度説明しない。
【０３１９】
本発明のこの実施形態において、同期情報が取得され、同期参照元が、同期情報、および、少なくとも１つの同期元の同期信号に従って決定され、その結果、同期を実装できる。
【０３２０】
図１４は、本発明の別の実施形態に係る基地局１４００の概略的ブロック図である。図１４に示されるように、基地局１４００は、プロセッサ１４１０、メモリ１４２０、バスシステム１４３０およびトランシーバ１４４０を備える。プロセッサ１４１０、メモリ１４２０およびトランシーバ１４４０は、バスシステム１４３０を使用することによって接続され、メモリ１４２０は、命令を記憶するように構成され、プロセッサ１４１０は、メモリ１４２０に記憶された命令を実行するように構成されている。
【０３２１】
プロセッサ１４１０は、同期情報を決定するように構成され、同期情報は、同期元の選択パラメータ情報、同期元指示情報、または同期元の優先度情報のうちの少なくとも１つの情報を含む。
【０３２２】
トランシーバ１４４０は、同期情報をユーザ機器へ送信するように構成されている。
【０３２３】
本発明のこの実施形態において、同期情報がユーザ機器へ送信され、その結果、ユーザ機器は、同期情報に従って同期参照元を決定できる。このようにして同期を実装でき、最適な通信性能が保証される。
【０３２４】
本発明のこの実施形態において、プロセッサ１４１０はＣＰＵであり得るか、または、プロセッサ１４１０は別の汎用プロセッサ、ＤＳＰ、ＡＳＩＣ、ＦＰＧＡもしくは別のプログラマブルロジックデバイス、個別ゲートもしくはトランジスタロジックデバイス、または個別ハードウェアコンポーネントなどであり得ることを理解すべきである。汎用プロセッサはマイクロプロセッサであり得るか、または、プロセッサは任意の従来のプロセッサなどであり得る。
【０３２５】
メモリ１４２０は、リードオンリメモリおよびランダムアクセスメモリを含んでよく、命令およびデータをプロセッサ１４１０に提供する。メモリ１４２０の一部はさらに、不揮発性ランダムアクセスメモリを含んでよい。例えば、メモリ１４２０はさらに、デバイスタイプ情報を記憶してよい。
【０３２６】
データバスに加えて、バスシステム１４３０は、電力バス、制御バス、およびステータス信号バスなどを含み得る。しかしながら、明確な説明のために、図における様々なタイプのバスをバスシステム１４３０として示す。
【０３２７】
実装過程において、上記の方法における段階は、プロセッサ１４１０におけるハードウェア論理集積回路を使用することによって、または、ソフトウェアの形態の命令を使用することによって実装できる。本発明の実施形態に関連して開示される方法における段階は、ハードウェアプロセッサによって直接実行され得るか、または、プロセッサにおけるハードウェアおよびソフトウェアモジュールの組み合わせを使用することによって実行され得る。ソフトウェアモジュールは、ランダムアクセスメモリ、フラッシュメモリ、リードオンリメモリ、プログラマブルリードオンリメモリ、電気的消去可能プログラマブルメモリまたはレジスタなどの、当技術分野における成熟した記憶媒体に位置し得る。記憶媒体は、メモリ１４２０に位置し、プロセッサ１４１０は、メモリ１４２０から情報を読み取り、プロセッサにおけるハードウェアと組み合わせて、上記の方法における段階を完了する。繰り返しを避けるために、詳細はここでは再度説明しない。
【０３２８】
任意で、トランシーバ１４４０はさらに、制御情報をユーザ機器へ送信するように構成され、制御情報は、同期参照元のタイプおよび／または識別子を示すために使用される。
【０３２９】
任意で、トランシーバ１４４０はさらに、制御情報をユーザ機器へ送信するように構成され、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む。
【０３３０】
任意で、トランシーバ１４４０はさらに、同期情報をユーザ機器へ送信する前に、少なくとも１つの同期元についての情報を受信するように構成され、情報は、ユーザ機器によって送信され、プロセッサ１４１０は、トランシーバ１４４０によって受信された少なくとも１つの同期元についての情報に従って同期情報を決定するように構成されている。
【０３３１】
任意で、トランシーバ１４４０はさらに、タイミングオフセット指示情報をユーザ機器へ送信するように構成され、タイミングオフセット指示情報は、ユーザ機器の同期参照元のタイミング基準と、別のリンクにおける同期参照元のタイミング基準との間のタイミングオフセットを示すために使用される。
【０３３２】
本発明のこの実施形態に係る基地局１４００は、本発明の実施形態に係る同期方法８００における基地局、および、本発明の実施形態に係る基地局１１００に対応し得ることを理解すべきである。加えて、基地局１４００におけるユニット／モジュールの上記および他の操作および／または機能は、図８における方法８００の対応する手順を実装することを意図している。簡潔にするために、詳細はここでは再度説明しない。
【０３３３】
本発明のこの実施形態において、同期情報はユーザ機器へ送信され、その結果、ユーザ機器は、同期情報に従って同期参照元を決定できる。このようにして、同期を実装でき、最適な通信性能が保証される。
【０３３４】
図１５は、本発明の別の実施形態に係るユーザ機器１５００の概略的ブロック図である。図１５に示されるようにユーザ機器１５００は、プロセッサ１５１０、メモリ１５２０、バスシステム１５３０およびトランスミッタ１５４０を備える。プロセッサ１５１０、メモリ１５２０およびトランスミッタ１５４０は、バスシステム１５３０を使用することによって接続され、メモリ１５２０は、命令を記憶するように構成され、プロセッサ１５１０は、メモリ１５２０に記憶された命令を実行するように構成されている。
【０３３５】
プロセッサ１５１０は、同期参照元を決定するように構成され、同期参照元のタイプは、全球測位衛星システム、基地局またはユーザ機器のうちのいずれか１つである。
【０３３６】
トランスミッタ１５４０は、同期参照元に従って同期信号を送信するように構成され、同期信号は、第１同期信号および／または第２同期信号を含み、第１同期信号のシーケンスおよび／または第２同期信号のシーケンスは、同期参照元のタイプを示すために使用される。
【０３３７】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元のタイプを決定できる。このようにして、同期を実装でき、最適な通信性能が保証される。
【０３３８】
本発明のこの実施形態において、プロセッサ１５１０はＣＰＵであり得るか、または、プロセッサ１５１０は別の汎用プロセッサ、ＤＳＰ、ＡＳＩＣ、ＦＰＧＡまたは別のプログラマブルロジックデバイス、個別ゲートもしくはトランジスタロジックデバイス、または個別ハードウェアコンポーネントなどであり得ることを理解すべきである。汎用プロセッサはマイクロプロセッサであり得るか、または、プロセッサは任意の従来のプロセッサなどであり得る。
【０３３９】
メモリ１５２０は、リードオンリメモリおよびランダムアクセスメモリを含んでよく、命令およびデータをプロセッサ１５１０に提供する。メモリ１５２０の一部はさらに、不揮発性ランダムアクセスメモリを含んでよい。例えば、メモリ１５２０はさらに、デバイスタイプ情報を記憶してよい。
【０３４０】
データバスに加えて、バスシステム１５３０は、電力バス、制御バス、およびステータス信号バスなどを含み得る。しかしながら、明確な説明のために、図における様々なタイプのバスをバスシステム１５３０として示す。
【０３４１】
実装過程において、上記の方法における段階は、プロセッサ１５１０におけるハードウェア論理集積回路を使用することによって、または、ソフトウェアの形態の命令を使用することによって実装できる。本発明の実施形態に関連して開示される方法における段階は、ハードウェアプロセッサによって直接実行され得るか、または、プロセッサにおけるハードウェアおよびソフトウェアモジュールの組み合わせを使用することによって実行され得る。ソフトウェアモジュールは、ランダムアクセスメモリ、フラッシュメモリ、リードオンリメモリ、プログラマブルリードオンリメモリ、電気的消去可能プログラマブルメモリまたはレジスタなどの、当技術分野における成熟した記憶媒体に位置し得る。記憶媒体は、メモリ１５２０に位置し、プロセッサ１５１０は、メモリ１５２０から情報を読み取り、プロセッサにおけるハードウェアと組み合わせて、上記の方法における段階を完了する。繰り返しを避けるために、詳細はここでは再度説明しない。
【０３４２】
第１同期信号の少なくとも１つのシーケンスは、同期参照元のタイプを示すために使用され、または、第１同期信号は、第１シンボルおよび第２シンボルを占有し、第１シンボルによって使用されるシーケンスもしくは第２シンボルによって使用されるシーケンスの少なくとも１つの組み合わせは、同期参照元のタイプを示すために使用され、または、第２同期信号のシーケンスセットは、少なくとも２つのシーケンスサブセットを含み、少なくとも２つのシーケンスサブセットのうちの少なくとも１つは、同期参照元のタイプを示すために使用され、または、第２同期信号は、第３シンボルおよび第４シンボルを含み、第３シンボルによって使用されるシーケンスもしくは第４シンボルによって使用されるシーケンスの少なくとも１つの組み合わせは、同期参照元のタイプを示すために使用され、または、第１同期信号は、第１シンボルおよび第２シンボルを占有し、第２同期信号は、第３シンボルおよび第４シンボルを占有し、第１シンボルによって使用されるシーケンス、第２シンボルによって使用されるシーケンス、第３シンボルによって使用されるシーケンス、もしくは、第４シンボルによって使用されるシーケンスの少なくとも１つの組み合わせが、同期参照元のタイプを示すために使用される。
【０３４３】
任意で、トランスミッタ１５４０はさらに、制御情報を送信するように構成され、第１同期信号のシーケンスおよび／または第２同期信号のシーケンス、ならびに制御情報は、同期参照元のタイプを示すために使用される。
【０３４４】
任意で、トランスミッタ１５４０はさらに、制御情報を送信するように構成され、制御情報は、同期元タイプの補助指示情報、同期信号送信サイクルの指示情報、同期信号が有効かどうかを示す指示情報、同期信号が送信されたかどうかを示す指示情報、同期信号が送信された時間‐周波数位置の指示情報、または、同期元のホップカウントの指示情報のうちの少なくとも１つの情報を含む。
【０３４５】
本発明のこの実施形態に係るユーザ機器１５００は、本発明の実施形態に係る同期方法９００におけるユーザ機器、および、本発明の実施形態に係るユーザ機器１２００に対応し得ることを理解すべきである。加えて、ユーザ機器１５００におけるユニット／モジュールの上記および他の操作および／または機能は、図９における方法９００の対応する手順を実装することを意図している。簡潔にするために、詳細はここでは再度説明しない。
【０３４６】
本発明のこの実施形態において、ＵＥの同期参照元のタイプがＧＮＳＳ、基地局またはＵＥのうちのいずれか１つであるとき、ユーザ機器によって送信される同期信号は、同期参照元のタイプを示すことができ、その結果、別のユーザ機器は、同期信号に従って同期参照元のタイプを決定できる。このようにして、同期を実装でき、最適な通信性能が保証される。
【０３４７】
本発明の実施形態における「および／または」という用語は、関連対象物を説明する関連関係のみを説明するものであり、３つの関係が存在し得ることを表すことを理解すべきである。例えば、Ａおよび／またはＢは次の３つの場合、つまり、Ａだけが存在すること、ＡおよびＢの両方が存在すること、ならびにＢだけが存在することを表し得る。加えて、本明細書における記号「／」は概して、関連対象物間の「または」の関係を示す。
【０３４８】
当業者は、本明細書に開示される実施形態に説明される例と組み合わせて、ユニットおよびアルゴリズムのステップが、電子ハードウェア、コンピュータソフトウェア、またはこれらの組み合わせにより実装され得ることを認識し得る。ハードウェアとソフトウェアとの間の互換性を明確に説明すべく、上記では概して、それぞれの例について構成および段階を機能に従って説明している。機能がハードウェアまたはソフトウェアのいずれによって実行されるかは、技術的解決法の特定の適用および設計の制約条件に依存する。当業者であれば、異なる方法を使用して、特定の適用の各々について、説明された機能を実装しよう。しかしながら、そのような実装が、本発明の範囲を越えるものとみなされるべきではない。
【０３４９】
当業者によれば、説明の便宜および簡潔性の目的のために、上記のシステム、装置、およびユニットの詳細な動作プロセスについては、上記の方法の実施形態において対応するプロセスが参照されてよく、詳細は本明細書において再度説明されないことが明確に理解されよう。
【０３５０】
本願において提供されるいくつかの実施形態において、開示されるシステム、装置、および方法は、他の方式で実装されてよいことを理解すべきである。例えば、説明された装置の実施形態は、例に過ぎない。例えば、ユニットの分割は、論理的機能の分割に過ぎず、実際の実装においては他の分割であってよい。例えば、複数のユニットまたはコンポーネントは、別のシステムと組み合わせられまたは統合されてよい。または、いくつかの特徴は、無視されてよく、または、実行されなくてよい。加えて、表示される、または説明される相互結合または直接結合または通信接続は、いくつかのインタフェース、装置もしくはユニット間の間接的な結合もしくは通信接続、または、電気的接続、機械的接続もしくは他の形態の接続を使用することによって実装され得る。
【０３５１】
別個の部分として説明されたユニットは、物理的に分かれていてもそうでなくてもよく、また、ユニットとして表示された部分は、物理的なユニットであってもそうでなくてもよく、１箇所に位置していてもよく、または、複数のネットワークユニットにおいて分散されていてもよい。ユニットのいくつかまたはすべては、本発明の実施形態の解決手法の目的を実現すべく、実際の必要性に従って選択されてよい。
【０３５２】
加えて、本発明の実施形態における機能ユニットは、１つの処理ユニットに統合されてよく、または、ユニットの各々は、物理的に単独で存在してよく、または、２つもしくはそれより多くのユニットが、１つのユニットに統合されてよい。統合されたユニットは、ハードウェアの形態で実装されてよく、または、ソフトウェア機能ユニットの形態で実装されてよい。
【０３５３】
当業者であれば、上記の実施形態の説明から、本発明がハードウェア、ファームウェアまたはこれらの組み合わせによって実装され得ることを明確に理解し得る。本発明がソフトウェアによって実装されるとき、上記の機能は、コンピュータ可読媒体に記憶されてよく、または、コンピュータ可読媒体における１または複数の命令もしくはコードとして伝送されてよい。コンピュータ可読媒体は、コンピュータ記憶媒体および通信媒体を含み、通信媒体は、コンピュータプログラムが１箇所から別の箇所へ伝送されることを可能にする任意の媒体を含む。記憶媒体は、コンピュータにアクセス可能な任意の利用可能な媒体であってよい。以下に例を提供するが、これは制限を課すものではない。コンピュータ可読媒体は、ＲＡＭ、ＲＯＭ、ＥＥＰＲＯＭ、ＣＤ−ＲＯＭ、あるいは別の光ディスクストレージまたはディスク記憶媒体、あるいは別の磁気記憶デバイス、あるいは予期されるプログラムコードを命令またはデータ構造の形態で記憶または格納できる、またはコンピュータがアクセスできる任意の他の媒体を含んでよい。加えて、任意の接続が、コンピュータ可読媒体として適宜定義されてよい。例えば、同軸ケーブル、光ファイバ／ケーブル、ツイストペア、デジタル加入者線（Ｄｉｇｉｔａｌ  Ｓｕｂｓｃｒｉｂｅｒ  Ｌｉｎｅ、ＤＳＬ）、または、赤外線、無線およびマイクロ波などの無線技術を使用することによってソフトウェアがウェブサイト、サーバまたは別のリモートソースから伝送される場合、同軸ケーブル、光ファイバ／ケーブル、ツイストペア、ＤＳＬ、または、赤外線、無線およびマイクロ波などの無線技術は、それらが属する媒体の定義に含まれる。例えば、本発明において使用されるディスク（Ｄｉｓｋ）およびディスク（ｄｉｓｃ）は、コンパクトディスク（ＣＤ）、レーザディスク、光ディスク、デジタルバーサタイルディスク（ＤＶＤ）、フロッピー（登録商標）ディスクおよびブルーレイディスクを含む。ディスク（Ｄｉｓｋ）は概して、磁気的手段を使用することによってデータを複製し、ディスク（ｄｉｓｃ）は、レーザを使用することによって光学的にデータを複製する。上記の組み合わせも、コンピュータ可読媒体の保護範囲に含まれるべきである。
【０３５４】
要約すると、上で説明されたものは、単に、本発明の技術的解決法の例示的な実施形態に過ぎないが、本発明の保護範囲を制限することを意図していない。本発明の主旨および原理から逸脱することなく成された任意の変更、等価な置き換え、または改善は、本発明の保護範囲内に含まれるものとする。
【図１】
0006798668.tif 000002
【図２Ａ】
0006798668.tif 000003
【図２Ｂ】
0006798668.tif 000004
【図３】
0006798668.tif 000005
【図４】
0006798668.tif 000006
【図５】
0006798668.tif 000007
【図６】
0006798668.tif 000008
【図７】
0006798668.tif 000009
【図８】
0006798668.tif 000010
【図９】
0006798668.tif 000011
【図１０】
0006798668.tif 000012
【図１１】
0006798668.tif 000013
【図１２】
0006798668.tif 000014
【図１３】
0006798668.tif 000015
【図１４】
0006798668.tif 000016
【図１５】
0006798668.tif 000017